(57)【特許請求の範囲】
【請求項１】
ユーザ機器における方法であって、
前記ユーザ機器のためにスケジュールされた複数のリソースを備えるアグリゲート・ダウンリンク・リソース割当を受信することと、
協力セルのセットにおける複数のセルのサブセットからの送信を、前記アグリゲート・ダウンリンク・リソース割当に基づいて受信することとを備え、
この受信することは、前記スケジュールされた複数のリソース未満で、前記送信の一部を、前記協力セルのセットにおける第１のセルから受信することを備える、方法。
【請求項２】
前記送信のうちの少なくとも別の一部を、第２のセルから受信することをさらに備え、
前記第１のセルから受信された送信の一部と、前記第２のセルから受信された送信のうちの別の一部とは、前記スケジュールされた複数のリソースにおける送信を備える、請求項１に記載の方法。
【請求項３】
前記送信は、指定された送信インタバルの間、前記協力セルのセットにおける複数のセルからの統合送信を備える、請求項１に記載の方法。
【請求項４】
前記第１のセルが、前記アグリゲート・ダウンリンク・リソース割当を備える前記スケジュールされた複数のリソース未満で送信する、との通知を受信すること、をさらに備える請求項１に記載の方法。
【請求項５】
前記ＵＥは、前記通知に基づいて、ダウンリンク・リソースを復号する、請求項４に記載の方法。
【請求項６】
前記送信は、動的なセル選択を備え、
前記ユーザ機器は、指定された送信インタバルの間、前記協力セルのセットにおける１つのセルのみからデータを受信する、請求項１に記載の方法。
【請求項７】
前記送信は、指定された送信インタバルの間、協調スケジューリングまたは協調ビームフォーミングを備え、
前記方法はさらに、前記複数のセルのサブセットのうちのサービス提供セルへ、チャネル状態情報を送信することを備える請求項１に記載の方法。
【請求項８】
前記協力セルのセットは、セルの協調マルチポイント測定セットのサブセットを備え、
前記セルの協調マルチポイント測定セットは、前記ＵＥが前記サービス提供セルへチャネル状態情報をレポートすることに関するセルのセットを備える、請求項１に記載の方法。
【請求項９】
前記協力セルのセットのうち複数のセルのサブセットは送信セルのセットを備える、請求項１に記載の方法。
【請求項１０】
前記アグリゲート・ダウンリンク・リソース割当の、前記スケジュールされた複数のリソースは、非隣接のリソース・クラスタを備える、請求項１に記載の方法。
【請求項１１】
サービス提供セルにおける方法であって、
スケジュールされた複数のリソースを備える、ユーザ機器（ＵＥ）のためのアグリゲート・ダウンリンク・リソース割当を決定することと、
協力セルのセットにおける複数のセルのサブセットによる前記ＵＥへの送信を、前記アグリゲート・ダウンリンク・リソース割当に基づいて調整することと、ここで、前記協力セルのセットにおける少なくとも１つのセルが、前記スケジュールされた複数のリソース未満で送信する、
を備える方法。
【請求項１２】
前記協力セルのセットにおける１つのセルが、前記サービス提供セルによって送信されたリソースに基づいて送信する、請求項１１に記載の方法。
【請求項１３】
前記送信は、指定された送信インタバルの間、前記協力セルのセットの１または複数のセルおよび前記サービス提供セルからの統合送信を備える、請求項１１に記載の方法。
【請求項１４】
前記少なくとも１つのセルが前記スケジュールされた複数のリソース未満で送信する、という通知を前記ＵＥへ送信すること、をさらに備える請求項１１に記載の方法。
【請求項１５】
前記送信は、動的なセル選択を備え、
前記サービス提供セルのみが、指定された送信インタバルの間に送信する、請求項１１に記載の方法。
【請求項１６】
前記送信は、協調スケジューリングまたは協調ビームフォーミングを備え、
前記方法は、
前記サービス提供セルにおいて、複数のチャネル状態情報レポートを受信することと、
指定された送信インタバルの間に、前記チャネル状態情報レポートに基づいて、前記サービス提供セルから送信することと、
を備える請求項１１に記載の方法。
【請求項１７】
前記協力セルのセットにおける複数のセルのサブセットを、前記サービス提供セルにおいて、セルの協調マルチポイント測定セットのサブセットとして選択することをさらに備え、
前記セルの協調マルチポイント測定セットは、前記ＵＥが前記サービス提供セルへチャネル状態情報をレポートするためのセルのセットを備える、請求項１１に記載の方法。
【請求項１８】
前記サービス提供セルは、前記協力セルのうち前記複数のセルのサブセットを備える送信セットを選択する、請求項１１に記載の方法。
【請求項１９】
協力セルにおける方法であって、
スケジュールされた複数のリソースを備えるアグリゲート・ダウンリンク・リソース割当の通知を受信することと、
ユーザ機器への送信のために、前記スケジュールされたリソースの一部を選択することと、
前記選択された、スケジュールされたリソースの一部において、前記ユーザ機器へ送信することと、
を備える方法。
【請求項２０】
前記送信は、指定された送信インタバルの間、前記協力セルと、前記協力セルのセットにおける少なくとも１つの別のセルとからの統合送信を備える、請求項１９に記載の方法。
【請求項２１】
前記送信は、動的なセル選択を備え、
前記協力セルのみが、指定された送信インタバルの間に送信する、請求項１９に記載の方法。
【請求項２２】
前記送信は、協調スケジューリングまたは協調ビームフォーミングを備え、
前記協力セルは、指定された送信インタバルの間にリソースを送信しない、請求項１９に記載の方法。
【請求項２３】
前記協力セルのセットは、ユーザ機器に関連するサービス提供セルへチャネル状態情報がレポートされるセルのセットを備える、セルの協調マルチポイント測定セットのサブセットを備える、請求項１９に記載の方法。
【請求項２４】
前記協力セルは、前記協力セルのセットのうちの複数のセルのサブセットを備える送信セットのメンバである、請求項２３に記載の方法。
【請求項２５】
ユーザ機器における方法であって、
前記ユーザ機器からの送信のためにスケジュールされた複数のリソースを備えるアグリゲート・アップリンク・リソース許可を受信することと、
協力セルのセットにおける１または複数のセルに前記複数のリソースで送信することと、
を備え、
前記協力セルのセットにおける少なくとも１つのセルが、前記送信に関連付けられた複数のリソースのよりも少ないリソースの受信のためにスケジュールされる、
を備える方法。
【請求項２６】
前記送信は、指定された送信インタバルの間、前記協力セルのセットの複数のセルへの統合送信を備える、請求項２５に記載の方法。
【請求項２７】
前記送信は、動的なセル選択を備え、
前記ユーザ機器は、指定された送信インタバルの間、前記協力セルのセットの１つのセルのみへリソースを送信する、請求項２５に記載の方法。
【請求項２８】
前記送信は、協調スケジューリングまたは協調ビームフォーミングを備え、
前記ユーザ機器は、前記協力セルのセットにおける少なくとも１つのセルに関連するチャネル状態情報を送信する、請求項２５に記載の方法。
【請求項２９】
前記ユーザ機器は、前記協力セルのセットのためのチャネル状態情報を送信し、
前記協力セルのセットは、前記ＵＥによって保持されたセルの協調マルチポイント測定セットのサブセットを備える、請求項２５に記載の方法。
【請求項３０】
前記送信は、前記協力セルのセットのうちの複数のセルのサブセットへの送信を備える、請求項２９に記載の方法。
【請求項３１】
セル特有の符号を用いて、アグリゲートされたリソースのリソース・クラスタを符号化すること、をさらに備える請求項２５に記載の方法。
【請求項３２】
前記協力セルのセットは、前記ユーザ機器に知られている、請求項２５に記載の方法。
【請求項３３】
前記協力セルのセットは、前記ユーザ機器に知られていない、請求項２５に記載の方法。
【請求項３４】
サービス提供セルにおける方法であって、
ユーザ機器（ＵＥ）による送信のためにスケジュールされた複数のリソースを備えるアグリゲート・アップリンク・リソース許可を前記ＵＥへ送信することと、
前記アグリゲート・アップリンク・リソース許可の複数のリソース未満を含む、前記送信に関連付けられたリソースを、前記サービス提供セルにおいて受信することと、
を備える方法。
【請求項３５】
前記送信は、指定された送信インタバルの間、前記サービス提供セルと、協力セルのセットにおける少なくとも１つの別のセルとへの統合送信を備える、請求項３４に記載の方法。
【請求項３６】
前記送信は、動的なセル選択を備え、
前記サービス提供セルのみが、指定された送信インタバルの間に、前記リソースを受信する、請求項３４に記載の方法。
【請求項３７】
前記送信は、指定された送信インタバルの間に、協調スケジューリングまたは協調ビームフォーミングを備える、請求項３４に記載の方法。
【請求項３８】
前記サービス提供セルは、協力セルのセットのためのチャネル状態情報レポートを受信し、
前記協力セルのセットは、セルの協調マルチポイント測定セットのサブセットを備える、請求項３４に記載の方法。
【請求項３９】
独立した誤り検出符号を用いて、前記複数のリソースのリソース・クラスタを符号化するようにユーザ機器に対してシグナリングすることと、
協力セルのセットのうちの１または複数からＡＣＫ／ＮＡＣＫインジケータを受信することと、
前記ＡＣＫ／ＮＡＣＫインジケータに基づいて、バンドルされたＡＣＫ／ＮＡＣＫインジケータを前記ユーザ機器へ送信することと、
をさらに備える請求項３４に記載の方法。
【請求項４０】
協力セルにおける方法であって、
ユーザ機器による送信のためにスケジュールされた複数のリソースを備えるアグリゲート・アップリンク・リソース許可の、前記ユーザ機器への通知を受信することと、
前記複数のリソース未満を備える、前記送信の一部を受信することを選択することと、
前記選択された送信の一部を受信することと、
を備える方法。
【請求項４１】
前記送信は、指定された送信インタバルの間、前記協力セルと、前記協力セルのセットにおける少なくとも１つの別のセルとへの統合送信を備える、請求項４０に記載の方法。
【請求項４２】
前記送信は、動的なセル選択を備え、
前記協力セルのみが、指定された送信インタバルの間に、前記送信に関連付けられたリソースを受信する、請求項４０に記載の方法。
【請求項４３】
前記送信は、協調スケジューリングまたは協調ビームフォーミングを備え、
前記協力セルは、指定された送信インタバルの間、チャネル状態情報をサービス提供セルへレポートし、ユーザ機器からリソースを受信しない、請求項４０に記載の方法。
【請求項４４】
前記協力セルは、セルの協調マルチポイント測定セットに属し、
前記方法はさらに、ユーザ機器に関連するチャネル状態情報を受信することを備える、請求項４０に記載の方法。
【請求項４５】
前記選択されたリソースのリソース・クラスタから独立した誤り訂正符号を復号することと、
前記誤り訂正符号を検証することと、
復号状態をサービス提供セルへ送信することと、
をさらに備える請求項４０に記載の方法。
【請求項４６】
ユーザ機器（ＵＥ）であって、
プロセッサと、
前記プロセッサによって実行された場合に、
前記ユーザ機器のためにスケジュールされた複数のリソースを備えるアグリゲート・ダウンリンク・リソース割当を受信し、
協力セルのセットにおける複数のセルのサブセットからの送信を、前記アグリゲート・ダウンリンク・リソース割当に基づいて受信し、ここで、前記送信の一部は、前記スケジュールされた複数のリソース未満で、前記協力セルのセットにおける少なくとも１つのセルから受信される、
ように前記ユーザ機器を設定する、プロセッサ実行可能な命令群を備えるメモリと、
を備えるユーザ機器。
【請求項４７】
サービス提供セルであって、
プロセッサと、
前記プロセッサによって実行された場合に、
スケジュールされた複数のリソースを備える、ユーザ機器（ＵＥ）のためのアグリゲート・ダウンリンク・リソース割当を決定し、    協力セルのセットにおける複数のセルのサブセットによる前記ＵＥへの送信を、前記アグリゲート・ダウンリンク・リソース割当に基づいて調整し、ここで、前記協力セルのセットにおける少なくとも１つのセルは、前記スケジュールされた複数のリソース未満で送信する、
ように前記サービス提供セルを設定する、プロセッサ実行可能な命令群を備えるメモリと、
を備えるサービス提供セル。
【請求項４８】
協力セルであって、
プロセッサと、
前記プロセッサによって実行された場合に、
スケジュールされた複数のリソースを備えるアグリゲート・ダウンリンク・リソース割当の通知を受信し、
チャネル状態情報に基づいて、ユーザ機器への送信のために、前記スケジュールされたリソースの一部を選択し、
前記選択された、スケジュールされたリソースの一部で、前記ユーザ機器へ送信する、
ように前記協力セルを設定する、プロセッサ実行可能な命令群を備えるメモリと、
を備える協力セル。
【請求項４９】
ユーザ機器であって、
プロセッサと、
前記プロセッサによって実行された場合に、
前記ユーザ機器からの送信のためにスケジュールされた複数のリソースを備えるアグリゲート・アップリンク・リソース許可を受信し、
協力セルのセットにおける１または複数のセルに前記複数のリソースで送信する
ように前記ユーザ機器を設定する、プロセッサ実行可能な命令群を備えるメモリと、
を備え、
前記送信に関連付けられた複数のリソースよりも少ないリソースの受信のために、前記協力セルのセットにおける少なくとも１つのセルがスケジュールされる、
ユーザ機器。
【請求項５０】
サービス提供セルであって、
プロセッサと、
前記プロセッサによって実行された場合に、
ユーザ機器による送信のためにスケジュールされた複数のリソースを備えるアグリゲート・アップリンク・リソース許可を前記ユーザ機器へ送信し、
前記送信に関連付けられたリソースを、前記サービス提供セルにおいて受信し、ここで、前記リソースは、前記アグリゲート・アップリンク・リソース許可の複数のリソース未満を含む、
ように前記サービス提供セルを設定する、プロセッサ実行可能な命令群を備えるメモリと、
を備えるサービス提供セル。
【請求項５１】
協力セルであって、
プロセッサと、
前記プロセッサによって実行された場合に、
ユーザ機器による送信のためにスケジュールされた複数のリソースを備えるアグリゲート・アップリンク・リソース許可の前記ユーザ機器への通知を受信し、
前記複数のリソース未満を備える前記送信の一部を受信することを選択し、
前記選択された送信の一部を受信する、
ように前記協力セルを設定する、プロセッサ実行可能な命令群を備えるメモリと、
を備える協力セル。
【請求項５２】
マシンによって実行された場合に、
ユーザ機器のためにスケジュールされた複数のリソースを備えるアグリゲート・ダウンリンク・リソース割当を受信し、
協力セルのセットにおける複数のセルのサブセットからの送信を、前記アグリゲート・ダウンリンク・リソース割当に基づいて受信し、ここで、前記送信は、前記スケジュールされた複数のリソース未満で、前記協力セルのセットにおける少なくとも１つのセルから受信される、
ように、前記マシンをユーザ機器として設定する命令群を記憶したコンピュータ読取可能な記憶媒体。
【請求項５３】
マシンによって実行された場合に、
スケジュールされた複数のリソースを備える、ユーザ機器（ＵＥ）のためのアグリゲート・ダウンリンク・リソース割当を決定し、
協力セルのセットにおける複数のセルのサブセットによる前記ＵＥへの送信を、前記アグリゲート・ダウンリンク・リソース割当に基づいて調整し、ここで、前記協力セルのセットにおける少なくとも１つのセルが、前記スケジュールされた複数のリソース未満で送信する、
ように、前記マシンをサービス提供セルとして設定する命令群を記憶したコンピュータ読取可能な記憶媒体。
【請求項５４】
マシンによって実行された場合に、
スケジュールされた複数のリソースを備えるアグリゲート・ダウンリンク・リソース割当の通知を受信し、
ユーザ機器への送信のために、前記スケジュールされたリソースの一部を選択し、
前記選択された、スケジュールされたリソースの一部で前記ユーザ機器へ送信する
ように、前記マシンを協力セルとして設定する命令群を記憶したコンピュータ読取可能な記憶媒体。
【請求項５５】
マシンによって実行された場合に、
ユーザ機器からの送信のためにスケジュールされた複数のリソースを備えるアグリゲート・アップリンク・リソース許可を受信し、
協力セルのセットにおける１または複数のセルに前記複数のリソースで送信する
ように、前記マシンをユーザ機器として設定する命令群を記憶したコンピュータ読取可能な記憶媒体であって、
前記送信に関連付けられた複数のリソースよりも少ないリソースの受信のために、前記協力セルのセットうちの少なくとも１つのセルがスケジュールされる、コンピュータ読取可能な記憶媒体。
【請求項５６】
マシンによって実行された場合に、
ユーザ機器による送信のためにスケジュールされた複数のリソースを備えるアグリゲート・アップリンク・リソース許可を送信し、
前記送信に関連付けられたリソースを前記サービス提供セルにおいて受信し、ここで、前記リソースは、前記アグリゲート・アップリンク・リソース許可の複数のリソース未満を含む、
ように、前記マシンをサービス提供セルとして設定する命令群を記憶したコンピュータ読取可能な記憶媒体。
【請求項５７】
マシンによって実行された場合に、
ユーザ機器による送信のためにスケジュールされた複数のリソースを備えるアグリゲート・アップリンク・リソース許可の前記ユーザ機器への通知を受信し、
前記複数のリソース未満を備える、前記送信の一部を受信することを選択し、
前記選択された、送信の一部を受信する
ように、前記マシンを協力セルとして設定する命令群を記憶したコンピュータ読取可能な記憶媒体。
【請求項５８】
ユーザ機器であって、
前記ユーザ機器のためにスケジュールされた複数のリソースを備えるアグリゲート・ダウンリンク・リソース割当を受信する手段と、
協力セルのセットにおける複数のセルのサブセットからの送信を、前記アグリゲート・ダウンリンク・リソース割当に基づいて受信する手段と、ここで、前記送信の一部は、前記スケジュールされた複数のリソース未満で、前記協力セルのセットにおける少なくとも１つのセルから受信される、
を備えるユーザ機器。
【請求項５９】
サービス提供セルであって、
スケジュールされた複数のリソースを備える、ユーザ機器（ＵＥ）のためのアグリゲート・ダウンリンク・リソース割当を決定する手段と、
協力セルのセットにおける複数のセルのサブセットによる前記ＵＥへの送信を、前記アグリゲート・ダウンリンク・リソース割当に基づいて調整する手段と、ここで、前記協力セルのセットにおける少なくとも１つのセルが、前記スケジュールされた複数のリソース未満で送信する、
を備えるサービス提供セル。
【請求項６０】
協力セルであって、
スケジュールされた複数のリソースを備えるアグリゲート・ダウンリンク・リソース割当の通知を受信する手段と、
ユーザ機器への送信のために、前記スケジュールされたリソースの一部を選択する手段と、
前記選択された、スケジュールされたリソースの一部で、前記ユーザ機器へ送信する手段と、
を備える協力セル。
【請求項６１】
ユーザ機器であって、
前記ユーザ機器からの送信のためにスケジュールされた複数のリソースを備えるアグリゲート・アップリンク・リソース許可を受信する手段と、
協力セルのセットにおける１または複数のセルに前記複数のリソースで送信する手段と、
を備え、
前記協力セルのセットのうちの少なくとも１つのセルが、前記送信に関連付けられた複数のリソースよりも少ないリソースの受信のためにスケジュールされる、
ユーザ機器。
【請求項６２】
サービス提供セルであって、
ユーザ機器による送信のためにスケジュールされた複数のリソースを備えるアグリゲート・アップリンク・リソース許可を、前記ユーザ機器へ送信する手段と、
前記サービス提供セルにおいて、前記送信に関連付けられたリソースを受信する手段と、ここで、前記リソースは、前記アグリゲート・アップリンク・リソース許可の複数のリソース未満を含む、
を備えるサービス提供セル。
【請求項６３】
協力セルであって、
ユーザ機器による送信のためにスケジュールされた複数のリソースを備えるアグリゲート・アップリンク・リソース許可の前記ユーザ機器への通知を受信する手段と、
前記複数のリソース未満を備える、前記送信の一部を受信することを選択する手段と、
前記選択された、前記送信の一部を受信する手段と、
を備える協力セル。
【発明の詳細な説明】
【優先権主張】
【０００１】
本特許出願は、「無線送信システムにおけるリソース割当および送信のための方法および装置」（Method and Apparatus for Resource Allocation and Transmission in a Wireless Transmission System）と題され２０１０年２月５日に出願された米国仮特許出願６１／３０２，０３８に対する優先権を主張する。この米国仮特許出願の全体は、本明細書において参照によって組み込まれている。
【技術分野】
【０００２】
本発明は、一般に、無線通信の分野に関し、さらに詳しくは、協調マルチポイント送信のためのリソース割当および送信に関する。
【背景技術】
【０００３】
本項は、開示された実施形態に対する背景またはコンテキストを提供することが意図されている。ここにおける記述は、追求されうる概念を含みうるが、この概念は、必ずしも、以前に想定または追及されている必要はない。したがって、ここで特に示されていないのであれば、本項で説明されているものは、本明細書における詳細説明および特許請求の範囲に対する従来技術ではなく、本項に含まれていることによって、従来技術であるとは認められない。
【０００４】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００５】
協調マルチポイント（ＣｏＭＰ）送信および受信は、３ＧＰＰ  ＬＴＥアドバンスト（ＬＴＥ−Ａ）のために提案されている。ＣｏＭＰは、従来の単一ノード動作に対して高められた有効通信範囲およびパフォーマンスを提供するために、バックホール接続を介して中央処理装置に接続された複数の、地理的に分散されたノードを利用する。
【０００６】
複数の地理的に分散したアンテナからの送信を協調させることは、例えば、複数のサイトから同じ時間−周波数リソースを送信することによって、アンテナ・サイトから遠く離れたユーザのための信号対雑音比を高めるために使用されうる。
【発明の概要】
【０００７】
開示された実施形態は、ユーザ機器のためにスケジュールされた複数のリソースを備えるアグリゲート・ダウンリンク・リソース割当を、ユーザ機器において受信することと、協力セルのセットにおける複数のセルからの送信を、アグリゲート・ダウンリンク・リソース割当に基づいて受信することであって、これは、スケジュールされた複数のリソース未満で、第１のセルから、送信の一部を受信することを備える、こととのための方法、装置、および製造物品に関する。
【０００８】
他の実施形態は、スケジュールされた複数のリソースを備える、ユーザ機器のためのアグリゲート・ダウンリンク・リソース割当を、サービス提供セルにおいて決定することと、協力セルのセットにおける複数のセルによるＵＥへの送信を、アグリゲート・ダウンリンク・リソース割当に基づいて調整することと、ここで、協力セルのセットにおける少なくとも１つのセルは、スケジュールされた複数のリソース未満で送信する、のための方法、装置、および製造物品に関する。
【０００９】
また別の実施形態は、スケジュールされた複数のリソースを備えるアグリゲート・ダウンリンク・リソース割当の通知を、協力セルにおいて受信することと、協力セルに関連付けられたチャネル状態情報、能力、制約等に基づいて、ユーザ機器への送信のためにスケジュールされたリソースの一部を選択することと、スケジュールされたリソースの選択された部分で、ユーザ機器に送信することと、のための方法、装置、および製造物品に関する。
【００１０】
また他の実施形態は、ユーザ機器からの送信のためにスケジュールされた複数のリソースを備えるアグリゲート・アップリンク・リソース許可を、ユーザ機器において受信することと、複数のリソースで送信することと、ここで、少なくとも１つのセルは、アグリゲート・アップリンク・リソース許可よりも少ない複数のリソースの一部でこの送信を受信する、のための方法、装置、および製造物品に関する。
【００１１】
その他の実施形態は、ユーザ機器からの送信のためにスケジュールされた複数のリソースを備えるアグリゲート・アップリンク・リソース許可を、サービス提供セルから送信することと、複数のリソースよりも少ないリソースを、この送信で受信することと、のための方法、装置、および製造物品に関する。
【００１２】
追加の実施形態は、送信のためにスケジュールされた複数のリソースを備えるアグリゲート・アップリンク・リソース許可のユーザ機器への通知を、サービス提供セルから、協力セルにおいて受信することと、協力セルの受信されたチャネル状態情報および／または能力に基づいて、複数のリソースよりも少ないリソースを受信することを選択することと、選択されたリソースで送信を受信することと、のための方法、装置、および製造物品に関する。
【００１３】
さまざまな実施形態のこれらおよびその他の特徴は、これらの動作の構成および方式とともに、全体を通じて同一の参照番号が同一の部位を示している添付図面と連携された場合に、以下の詳細記載から明らかになるであろう。
【図面の簡単な説明】
【００１４】
提供される実施形態は、限定することなく、以下の添付図面の図において、一例として例示される。
【図１】図１は、１つの実施形態における無線通信システムを例示する。
【図２】図２は、１つの実施形態における通信システムのブロック図を例示する。
【図３Ａ】図３Ａは、１つの実施形態におけるダウンリンクＣｏＭＰ送信を例示する。
【図３Ｂ】図３Ｂは、１つの実施形態におけるアップリンクＣｏＭＰ送信を例示する。
【図４】図４は、１つの実施形態におけるＣｏＭＰシステムを例示する。
【図５】図５は、１つの実施形態におけるＣｏＭＰ送信を例示する。
【図６】図６は、１つの実施形態における方法を例示するフローチャートである。
【図７】図７は、１つの実施形態における方法を例示するフローチャートである。
【図８】図８は、１つの実施形態における方法を例示するフローチャートである。
【図９】図９は、１つの実施形態における方法を例示するフローチャートである。
【図１０】図１０は、１つの実施形態における方法を例示するフローチャートである。
【図１１】図１１は、１つの実施形態における方法を例示するフローチャートである。
【図１２】図１２は、１つの実施形態におけるＣｏＭＰシステムを例示する。
【図１３】図１３は、１つの実施形態における装置を例示する。
【発明を実施するための形態】
【００１５】
以下の記載では、説明の目的のために、限定することなく、開示されたさまざまな実施形態の完全な理解を提供するために、詳細および説明が記載されている。しかしながら、これらさまざまな実施形態は、これら具体的な詳細や説明から離れたその他の実施形態でも実現されうることが、当業者に明らかになるであろう。
【００１６】
本明細書において使用されるような用語「構成要素」、「モジュール」、「システム」等は、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信しうる。
【００１７】
さらに、本明細書では、ある実施形態が、ユーザ機器に関連して記載される。ユーザ機器はまた、ユーザ端末とも呼ばれ、システム、加入者ユニット、加入者局、移動局、モバイル無線端末、モバイル・デバイス、ノード、デバイス、遠隔局、遠隔端末、端末、無線通信デバイス、無線通信装置、またはユーザ・エージェントのうちのいくつかまたはすべてを含みうる。ユーザ機器は、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、１または複数の無線端末と通信するために利用され、アクセス・ポイント、ノード、ノードＢ、イボルブド・ノードＢ（ｅＮＢ）、またはその他いくつかのネットワーク・エンティティと称され、これらの機能のうちのいくつかまたはすべてを含みうる。基地局は、エア・インタフェースで無線端末と通信する。この通信は、１または複数のセクタを介してなされうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作しうる。基地局はまた、エア・インタフェースのための属性の管理を調整し、さらに、有線ネットワークと無線ネットワークとの間のゲートウェイでもありうる。
【００１８】
さまざまな態様、実施形態、または特徴が、多くのデバイス、構成要素、モジュール等を含むシステムの観点から示されるだろう。さまざまなシステムが、図面に関連して説明されるように、追加のデバイス、構成要素、モジュール等を含み、および／または、これらデバイス、構成要素、モジュール等のうちのすべてを含んでいるとは限らないことが理解および認識されるべきである。これらアプローチの組み合わせもまた使用されうる。
【００１９】
さらに、主題とする記載では、「典型的」という用語は、例、事例、または例示として役立つことを意味するために使用される。本明細書で「典型的」として記載された何れの実施形態または設計は、必ずしも、他の実施形態または設計に対して好適であるとも、有利であるとも解釈される必要はない。むしろ、「典型的」という用語を用いることは、情報を具体的な方式で表すことが意図されている。
【００２０】
開示されたさまざまな実施形態は、通信システムに組み込まれうる。一例では、このような通信システムは、システム帯域幅全体を、周波数サブチャネル、トーン、または周波数ビンとも称される複数（ＮＦ個）のサブキャリアに効率的に分割する直交周波数分割多重化（ＯＦＤＭ）を利用する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、ＮＦ個の周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【００２１】
一般に、無線多元接続通信システムは、複数のモバイル・デバイスのための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【００２２】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割されうる。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、基地局において複数のアンテナが利用可能である場合、基地局は、順方向リンクで送信ビーム・フォーミング・ゲインを抽出できるようになる。
【００２３】
図１は、開示されたさまざまな実施形態が実現される無線通信システムを例示する。基地局１００は、複数のアンテナ・グループを含みうる。そして、おのおののアンテナ・グループは、１または複数のアンテナを含みうる。例えば、基地局１００が６つのアンテナを備えている場合、１つのアンテナ・グループは、第１のアンテナ１０４および第２のアンテナ１０６を備え、別のアンテナ・グループは、第３のアンテナ１０８および第４のアンテナ１１０を備えうる一方、第３のグループは、第５のアンテナ１１２および第６のアンテナ１１４を備えうる。上述したアンテナ・グループのおのおのは、２つのアンテナを有するものとして特定されているが、２つよりも多くの、または、２つよりも少ないアンテナも各アンテナ・グループで利用されうることが注目されるべきである。
【００２４】
図１に戻って示すように、第１のユーザ機器１１６は、例えば、第１の順方向リンク１２０による第１のユーザ機器１１６への情報の送信と、第１の逆方向リンク１１８による第１のユーザ機器１１６からの情報の受信とを可能にするために、第５のアンテナ１１２および第６のアンテナ１１４と通信しているように例示されている。図１はまた、例えば、第２の順方向リンク１２６による第２のユーザ機器１２２への情報の送信と、第２の逆方向リンク１２４による第２のユーザ機器１２２からの情報の受信とを可能にするために、第３のアンテナ１０８および第４のアンテナ１１０と通信している第２のユーザ機器１２２をも例示している。周波数分割デュプレクス（ＦＤＤ）システムでは、図１に示される通信リンク１１８、１２０、１２４、１２６は、通信のために、異なる周波数を使用しうる。例えば、第１の順方向リンク１２０は、第１の逆方向リンク１１８によって使用されるものとは異なる周波数を使用しうる。
【００２５】
いくつかの実施形態では、通信するように設計された領域および／またはアンテナのおのおののグループは、しばしば、基地局のセクタと称される。例えば、図１に図示される別のアンテナ・グループは、基地局１００のセクタ内のユーザ機器に通信するように設計されうる。順方向リンク１２０，１２６による通信では、基地局１００の送信アンテナは、異なるユーザ機器１１６，１２２のための順方向リンクの信号対雑音比を改善するために、ビームフォーミングを利用する。さらに、有効通信範囲エリア内にランダムに散在したユーザ機器に送信するためにビームフォーミングを用いる基地局は、近隣セル内のユーザ機器に対して、すべてのユーザ機器に対して単一のアンテナで全方向送信する基地局よりも、少ない干渉しかもたらさない。
【００２６】
開示されたさまざまな実施形態のうちのいくつかに適合する通信ネットワークは、制御チャネルおよびトラフィック・チャネルに分類される論理チャネルを含みうる。論理制御チャネルは、システム制御情報をブロードキャストするためのダウンリンク・チャネルであるブロードキャスト制御チャネル（ＢＣＣＨ）と、ページング情報を転送するダウンリンク・チャネルであるページング制御チャネル（ＰＣＣＨ）と、１またはいくつかのマルチキャスト・トラフィック・チャネル（ＭＴＣＨ）のためのマルチメディア・ブロードキャストおよびマルチキャスト・サービス（ＭＢＭＳ）スケジューリングおよび制御情報を送信するために使用されるポイント・トゥ・マルチポイント・ダウンリンク・チャネルであるマルチキャスト制御チャネル（ＭＣＣＨ）とを備えうる。一般に、ラジオ・リソース制御（ＲＲＣ）接続を確立した後、ＭＢＭＳを受信したユーザ機器によってのみＭＣＣＨが使用されうる。専用制御チャネル（ＤＣＣＨ）は、例えば、ＲＲＣ接続を有するユーザ機器によって使用されるユーザ特有の制御情報のような専用制御情報を送信するポイント・トゥ・ポイント双方向チャネルである別の論理制御チャネルである。また、共通制御チャネル（ＣＣＣＨ）は、ランダム・アクセス情報のために使用されうる論理制御チャネルである。論理トラフィック・チャネルは、ユーザ情報を転送するために、１つのユーザ機器に専用のポイント・トゥ・ポイント双方向チャネルである専用トラフィック・チャネル（ＤＴＣＨ）を備えうる。また、マルチキャスト・トラフィック・チャネル（ＭＴＣＨ）は、トラフィック・データのポイント・トゥ・マルチポイント・ダウンリンク送信のために使用されうる。
【００２７】
さまざまな実施形態のうちのいくつかに適合する通信ネットワークはさらに、ダウンリンク（ＤＬ）およびアップリンク（ＵＬ）に分類される論理伝送チャネルを含みうる。ＤＬ伝送チャネルは、ブロードキャスト・チャネル（ＢＣＨ）、ダウンリンク共有データ・チャネル（ＤＬ−ＳＤＣＨ）、マルチキャスト・チャネル（ＭＣＨ）、およびページング・チャネル（ＰＣＨ）を含みうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数の物理チャネルを含みうる。また、物理チャネルは、ダウンリンク・チャネルおよびアップリンク・チャネルからなるセットを含みうる。
【００２８】
開示されたいくつかの実施形態では、ダウンリンク物理チャネルは、共通パイロット・チャネル（ＣＰＩＣＨ）、同期チャネル（ＳＣＨ）、共通制御チャネル（ＣＣＣＨ）、共有ダウンリンク制御チャネル（ＳＤＣＣＨ）、マルチキャスト制御チャネル（ＭＣＣＨ）、共有アップリンク割当チャネル（ＳＵＡＣＨ）、アクノレッジメント・チャネル（ＡＣＫＣＨ）、ダウンリンク物理共有データ・チャネル（ＤＬ−ＰＳＤＣＨ）、アップリンク電力制御チャネル（ＵＰＣＣＨ）、ページング・インジケータ・チャネル（ＰＩＣＨ）、負荷インジケータ・チャネル（ＬＩＣＨ）、物理ブロードキャスト・チャネル（ＰＢＣＨ）、物理制御フォーマット・インジケータ・チャネル（ＰＣＦＩＣＨ）、物理ダウンリンク制御チャネル（ＰＤＣＣＨ）、物理ハイブリッドＡＲＱインジケータ・チャネル（ＰＨＩＣＨ）、物理ダウンリンク共有チャネル（ＰＤＳＣＨ）、および物理マルチキャスト・チャネル（ＰＭＣＨ）のうちの少なくとも１つを含みうる。アップリンク物理チャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、アップリンク物理共有データ・チャネル（ＵＬ−ＰＳＤＣＨ）、ブロードバンド・パイロット・チャネル（ＢＰＩＣＨ）、物理アップリンク制御チャネル（ＰＵＣＣＨ）、および物理アップリンク共有チャネル（ＰＵＳＣＨ）のうちの少なくとも１つを含みうる。
【００２９】
さらに、以下の用語および特徴が、開示されたさまざまな実施形態を記載するために使用されうる。  
３Ｇ                第３世代  
３ＧＰＰ            第３世代パートナシップ計画  
ＡＣＬＲ            隣接チャネル漏れ比率  
ＡＣＰＲ            隣接チャネル電力比率  
ＡＣＳ              隣接チャネル選択性  
ＡＤＳ              アドバンスト設計システム  
ＡＭＣ              適応変調および符号化  
Ａ−ＭＰＲ          追加最大電力減少  
ＡＲＱ              自動反復要求  
ＢＣＣＨ            ブロードキャスト制御チャネル  
ＢＴＳ              基地トランシーバ局  
ＣＤＤ              サイクリック遅延ダイバーシティ  
ＣＣＤＦ            余累積分布関数  
ＣＤＭＡ            符号分割多元接続  
ＣＦＩ              制御フォーマット・インジケータ  
Ｃｏ−ＭＩＭＯ      協調ＭＩＭＯ  
ＣＰ                サイクリック・プレフィクス  
ＣＰＩＣＨ          共通パイロット・チャネル  
ＣＰＲＩ            共通パブリック・ラジオ・インタフェース  
ＣＱＩ              チャネル品質インジケータ  
ＣＲＣ              巡回冗長検査  
ＤＣＩ              ダウンリンク制御インジケータ  
ＤＦＴ              離散フーリエ変換  
ＤＦＴ−ＳＯＦＤＭ  離散フーリエ変換拡散ＯＦＤＭ  
ＤＬ                ダウンリンク（基地局から加入者への送信）  
ＤＬ−ＳＣＨ        ダウンリンク共有チャネル  
ＤＳＰ              デジタル信号処理  
ＤＴ                開発ツール・セット  
ＤＶＳＡ            デジタル・ベクトル信号分析  
ＥＤＡ              電子設計オートメーション  
Ｅ−ＤＣＨ          エンハンスト専用チャネル  
Ｅ−ＵＴＲＡＮ      イボルブドＵＭＴＳ地上ラジオ・アクセス・ネットワーク  
ｅＭＢＭＳ          イボルブド・マルチメディア・ブロードキャスト・マルチキャスト・サービス  
ｅＮＢ              イボルブド・ノードＢ  
ＥＰＣ              イボルブド・パケット・コア  
ＥＰＲＥ            リソース要素毎のエネルギ  
ＥＴＳＩ            欧州電気通信標準協会  
Ｅ−ＵＴＲＡ        イボルブドＵＴＲＡ  
Ｅ−ＵＴＲＡＮ      イボルブドＵＴＲＡＮ  
ＥＶＭ              誤りベクトル大きさ  
ＦＤＤ              周波数分割デュプレクス  
ＦＦＴ              高速フーリエ変換  
ＦＲＣ              固定基準チャネル  
ＦＳ１              フレーム構造タイプ１  
ＦＳ２              フレーム構造タイプ２  
ＧＳＭ（登録商標）  グローバル移動体通信システム  
ＨＡＲＱ            ハイブリッド自動反復要求  
ＨＤＬ              ハードウェア記述言語  
ＨＩ                ＨＡＲＱインジケータ  
ＨＳＤＰＡ          高速ダウンリンク・パケット・アクセス  
ＨＳＰＡ            高速パケット・アクセス  
ＨＳＵＰＡ          高速アップリンク・パケット・アクセス  
ＩＦＦＴ            逆ＦＦＴ  
ＩＯＴ              インタオペラビリティ・テスト  
ＩＰ                インターネット・プロトコル  
ＬＯ                局部発振器  
ＬＴＥ              ロング・ターム・イボリューション  
ＭＡＣ              媒体アクセス制御  
ＭＢＭＳ            マルチメディア・ブロードキャスト・マルチキャスト・サービス
ＭＢＳＦＮ          単一周波数ネットワークによるマルチキャスト／ブロードキャスト  
ＭＣＨ              マルチキャスト・チャネル  
ＭＩＭＯ            複数入力複数出力  
ＭＩＳＯ            複数入力単一出力  
ＭＭＥ              モビリティ管理エンティティ  
ＭＯＰ              最大出力電力  
ＭＰＲ              最大電力減少  
ＭＵ−ＭＩＭＯ      複数ユーザＭＩＭＯ  
ＮＡＳ              非アクセス階層  
ＯＢＳＡＩ          オープン基地局アーキテクチャ・インタフェース  
ＯＦＤＭ            直交周波数分割多重  
ＯＦＤＭＡ          直交周波数分割多元接続  
ＰＡＰＲ            ピーク対平均電力比  
ＰＡＲ              ピーク対平均比  
ＰＢＣＨ            物理ブロードキャスト・チャネル  
Ｐ−ＣＣＰＣＨ      プライマリ共通制御物理チャネル  
ＰＣＦＩＣＨ        物理制御フォーマット・インジケータ・チャネル  
ＰＣＨ              ページング・チャネル  
ＰＤＣＣＨ          物理ダウンリンク制御チャネル  
ＰＤＣＰ            パケット・データ収束プロトコル  
ＰＤＳＣＨ          物理ダウンリンク共有チャネル  
ＰＨＩＣＨ          物理ハイブリッドＡＲＱインジケータ・チャネル  
ＰＨＹ              物理レイヤ  
ＰＲＡＣＨ          物理ランダム・アクセス・チャネル  
ＰＭＣＨ            物理マルチキャスト・チャネル  
ＰＭＩ              プリコーディング行列インジケータ  
Ｐ−ＳＣＨ          プライマリ同期信号  
ＰＵＣＣＨ          物理アップリンク制御チャネル  
ＰＵＳＣＨ          物理アップリンク共有チャネル
図２は、さまざまな実施形態に適合しうる典型的な通信システムのブロック図を例示する。図２に示されるＭＩＭＯ通信システム２００は、送信機システム２１０（例えば、基地局またはアクセス・ポイント）と、受信機システム２５０（例えば、アクセス端末またはユーザ機器）とをＭＩＭＯ通信システム２００に備える。例示されるように、基地局が送信機システム２１０と称され、ユーザ機器が受信機システム２５０と称されていようとも、これらシステムの実施形態は、双方向通信が可能であることが当業者によって認識されるだろう。この点において、用語「送信機システム２１０」および「受信機システム２５０」は、いずれかのシステムからの単一方向通信を意味するためには使用されるべきではない。図２の送信機システム２１０および受信機システム２５０はおのおの、図２に明示的に図示されていない他の複数の受信機システムおよび送信機システムと通信することができることもまた注目されるべきである。送信機システム２１０では、多くのデータ・ストリーム用のトラフィック・データが、データ・ソース２１２から送信（ＴＸ）データ・プロセッサ２１４に提供される。おのおののデータ・ストリームは、それぞれの送信機システムを介して送信されうる。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００３０】
おのおののデータ・ストリームの符号化されたデータは、例えばＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、送信機システム２１０のプロセッサ２３０によって実行される命令群によって決定されうる。
【００３１】
図２の典型的なブロック図では、すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭのために）さらに処理する。ＴＸ  ＭＩＭＯプロセッサ２２０はその後、ＮＴ個の変調シンボル・ストリームを、ＮＴ個の送信機システム・トランシーバ（ＴＭＴＲ）２２２ａ乃至２２２ｔへ提供する。１つの実施形態において、ＴＸ  ＭＩＭＯプロセッサ２２０はさらに、データ・ストリームのシンボル、および、このシンボルが送信されるアンテナへ、ビームフォーミング重みを適用する。
【００３２】
おのおのの送信機システム・トランシーバ２２２ａ乃至２２２ｔは、１または複数のアナログ信号を提供するために、それぞれのシンボル・ストリームを受信して処理し、さらには、ＭＩＭＯチャネルを介した送信に適切な変調信号を提供するために、このアナログ信号を調整する。いくつかの実施形態では、この調整は、限定される訳ではないが、例えば増幅、フィルタ、アップ・コンバート等のような動作を含みうる。送信機システム・トランシーバ２２２ａ乃至２２２ｔによって生成された変調信号は、その後、図２に示されている送信機システム・アンテナ２２４ａ乃至２２４ｔから送信される。
【００３３】
受信機システム２５０では、送信された変調信号が、受信機システム・アンテナ２５２ａ乃至２５２ｒによって受信され、受信機システム・アンテナ２５２ａ乃至２５２ｒのおのおのから受信した信号が、それぞれの受信機システム・トランシーバ（ＲＣＶＲ）２５４ａ乃至２５４ｒへ提供される。おのおのの受信機システム・トランシーバ２５４ａ乃至２５４ｒは、それぞれの受信信号を調整し、この調整された信号をデジタル化してサンプルを提供し、さらにこのサンプルを処理して、対応する「受信された」シンボル・ストリームを提供する。いくつかの実施形態では、この調整は、限定される訳ではないが、例えば増幅、フィルタ、ダウン・コンバート等のような動作を含みうる。
【００３４】
ＲＸデータ・プロセッサ２６０は、その後、受信機システム・トランシーバ２５４ａ乃至２５４ｒからシンボル・ストリームを受信し、受信されたこれらシンボル・ストリームを、特定の受信機処理技術に基づいて処理して、複数個の「検出された」シンボル・ストリームを提供する。一例において、検出されたおのおののシンボル・ストリームは、対応するデータ・ストリームのために送信されたシンボルの推定値であるシンボルを含みうる。ＲＸデータ・プロセッサ２６０は、その後、検出されたおのおののシンボル・ストリームの復調、デインタリーブ、復号、対応するデータ・ストリームのためのトラフィック・データの復元の少なくとも一部を行う。ＲＸデータ・プロセッサ２６０によるこの処理は、送信機システム２１０におけるＴＸ  ＭＩＭＯプロセッサ２２０およびＴＸデータ・プロセッサ２１４によって実行されるものに相補的である。ＲＸデータ・プロセッサ２６０はさらに、処理されたシンボル・ストリームを、データ・シンク２６４へ提供しうる。
【００３５】
いくつかの態様によれば、受信機システム２５０における空間／時間処理の実行、電力レベルの調節、変調レートまたはスキームの変更、および／または、その他の適切な動作のために、ＲＸ  ＭＩＭＯ／データ・プロセッサ２６０によって生成されたチャネル応答推定値が使用されうる。それに加えて、ＲＸデータ・プロセッサ２６０はさらに、例えば、検出されたシンボル・ストリームの信号対雑音比（ＳＮＲ）や、信号対干渉比（ＳＩＲ）のようなチャネル特性を推定しうる。ＲＸデータ・プロセッサ２６０はその後、推定されたチャネル特性を、プロセッサ２７０へ提供しうる。一例において、受信機システム２５０のＲＸデータ・プロセッサ２６０および／またはプロセッサ２７０はさらに、このシステムのための「動作」ＳＮＲの推定値を導出しうる。受信機システム２５０のプロセッサ２７０はその後、通信リンクおよび／または受信したデータ・ストリームに関する情報を含みうるチャネル状態情報（ＣＳＩ）をも提供しうる。例えば、動作ＳＮＲおよびその他のチャネル情報を含みうるこの情報は、例えば、ユーザ機器スケジューリング、ＭＩＭＯ設定、変調および符号化選択等に関する適切な決定を行うために、送信機システム２１０（例えば、基地局またはｅノードＢ）によって使用されうる。受信機システム２５０では、プロセッサ２７０によって生成されたＣＳＩが、ＴＸデータ・プロセッサ２３８によって処理され、変調器２８０によって変調され、受信機システム・トランシーバ２５４ａ乃至２５４ｒによって調整され、送信機システム２１０へ送り戻される。それに加えて、受信機システム２５０におけるデータ・ソース２３６が、ＴＸデータ・プロセッサ２３８によって処理されるべき追加データを提供しうる。
【００３６】
いくつかの実施形態では、受信機システム２５０におけるプロセッサ２７０はさらに、どのプリコーディング行列を使用するのかを定期的に決定しうる。プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、データ・ソース２３６から多くのデータ・ストリームのトラフィック・データをも受信する、受信機システム２５０におけるＴＸデータ・プロセッサ２３８によって処理される。処理された情報は、その後、変調器２８０によって変調され、受信機システム・トランシーバ２５４ａ乃至２５４ｒのうちの１または複数によって調整され、送信機システム２１０へ返送される。
【００３７】
ＭＩＭＯ通信システム２００のいくつかの実施形態では、受信機システム２５０は、空間的に多重化された信号を受信し、処理することができる。これらのシステムでは、異なるデータ・ストリームを多重化し、送信機システム・アンテナ２２４ａ乃至２２４ｔで送信することによって、送信機システム２１０において空間的な多重化が引き起こる。これは、複数の送信機システム・アンテナ２２４ａ乃至２２４ｔから、同じデータ・ストリームが送信される送信ダイバーシティ・スキームを使用することと対照的である。空間的に多重化された信号を受信および処理することができるＭＩＭＯ通信システム２００では、送信機システム・アンテナ２２４ａ乃至２２４ｔのおのおのから送信された信号が、互いに十分に相関付けられないようにするために、一般に、送信機システム２１０において、プリコーディング行列が使用される。この相関解除は、任意の特定の受信機システム・アンテナ２５２ａ乃至２５２ｒに到着する合成信号が受信されうることと、他の送信機システム・アンテナ２２４ａ乃至２２４ｔから、他のデータ・ストリームを伝送する信号が存在する場合、個々のデータ・ストリームが決定されることと、を保証する。
【００３８】
ストリーム間の相互相関量は、環境によって影響されうるので、受信機システム２５０が、受信した信号に関する情報を、送信機システム２１０にフィードバックすることが有利である。これらのシステムでは、送信機システム２１０と受信機システム２５０との両方が、多くのプリコーディング行列を備えたコードブックを含む。いくつかの事例では、これらプリコーディング行列のおのおのは、受信信号で受けた相互相関量に関連しうる。この行列における値とは異なる、特定の行列のインデクスを送信することが有利であるので、受信機システム２５０から送信機システム２１０へ送信されたフィードバック制御信号は、一般に、特定のプリコーディング行列のインデクスを含む。いくつかの実例では、フィードバック制御信号はまた、空間多重化においてどれだけ多くの独立データ・ストリームを使用するのかを、送信機システム２１０に示すランク・インデクスをも含む。
【００３９】
ＭＩＭＯ通信システム２００の別の実施形態は、上述した空間多重化スキームの代わりに、送信ダイバーシティ・スキームを利用するように構成される。これらの実施形態では、同じデータ・ストリームが、送信機システム・アンテナ２２４ａ乃至２２４ｔによって送信される。これらの実施形態では、受信機システム２５０に配信されるデータ・レートは、一般に、空間的に多重化されたＭＩＭＯ通信システム２００よりも低い。これらの実施形態は、通信チャネルのロバスト性および信頼性を提供する。送信ダイバーシティ・スキームでは、送信機システム・アンテナ２２４ａ乃至２２４ｔから送信された信号のおのおのは、異なる干渉環境（例えば、フェージング、反射、マルチ・パス・フェーズ・シフト）を受けるだろう。これらの実施形態では、受信機システム・アンテナ２５４ａ乃至２５４ｒにおいて受信された異なる信号特性が、適切なデータ・ストリームを決定する際に役立つ。これらの実施形態では、ランク・インジケータが、１に設定されることができ、送信機システム２１０に対して、空間多重化を使用しないように伝える。
【００４０】
他の実施形態は、空間多重化と送信ダイバーシティとの組み合わせを利用しうる。例えば、４つの送信機システム・アンテナ２２４ａ乃至２２４ｔを利用するＭＩＭＯ通信システム２００では、第１のデータ・ストリームが、送信機システム・アンテナ２２４ａ乃至２２４ｔのうちの２つで送信され、第２のデータ・ストリームが、残りの２つの送信機システム・アンテナ２２４ａ乃至２２４ｔで送信されうる。これらの実施形態では、ランク・インデクスは、プリコード行列のフル・ランクよりも低い整数に設定され、送信機システム２１０に対して、空間多重化と送信ダイバーシティとの組み合わせを適用するように指示する。
【００４１】
基地局２１０では、受信機システム２５０からの変調信号が、送信機・システム・アンテナ２２４ａ乃至２２４ｒによって受信され、送信機システム・トランシーバ２２２ａ乃至２２２ｔによって調整され、送信機システム復調器２４０によって復調され、ＲＸデータ・プロセッサ２４２によって処理されて、受信機システム２５０によって送信された逆方向リンク・メッセージが抽出される。いくつかの実施形態では、送信機システム２１０のプロセッサ２３０は、その後、将来の順方向リンク送信のために、どのプリコーディング行列を使用するのかを決定し、その後、抽出されたメッセージを処理する。他の実施形態では、プロセッサ２３０は、受信した信号を、将来の順方向リンク送信のために、ビームフォーミング重みを調節するために使用する。プロセッサ２３０はまた、受信機システム２５０のためのスケジューリング決定（例えば、ダウンリンク割当およびアップリンク許可）を行い、バックホール・インタフェース２３５を介して、他の送信機システム２１０への情報の送信、または、他の送信機システム２１０からの情報の受信を行いうる。例えば、本明細書で記載されているように、送信機システム２１０は、サービス提供セルとして動作している場合には、制御情報およびデータのみならず、スケジューリングを、受信機システム２５０のＣｏＭＰセットを備えるセルのグループへ提供しうるか、あるいは、ＣｏＭＰセットの協力メンバとして動作している場合には、これらを他のセルから受信しうる。
【００４２】
プロセッサ２３０は、１または複数のデータ・ストリームのために使用されるべき符号化および変調スキームのみならず、データ・レートを決定するために、ＣＳＩ情報を使用しうる。決定された符号化および変調スキームはその後、量子化および／または受信機システム２５０へのその後の送信において使用するために、送信機システム２１０における１または複数の送信機システム・トランシーバ２２２ａ乃至２２２ｔへ提供されうる。それに加えて、および／または、その代わりに、レポートされたＣＳＩは、ＴＸデータ・プロセッサ２１４およびＴＸ  ＭＩＭＯプロセッサ２２０のためのさまざまな制御を生成するために、送信機システム２１０のプロセッサ２３０によって使用されうる。１つの例では、送信機システム２１０のＲＸデータ・プロセッサ２４２によって処理されたＣＳＩおよび／またはその他の情報が、データ・シンク２４４へ提供されうる。
【００４３】
いくつかの実施形態では、送信機システム２１０におけるプロセッサ２３０および受信機システム２５０におけるプロセッサ２７０が、それぞれのシステムにおける動作を指示する。さらに、送信機システム２１０におけるメモリ２３２と、受信機システム２５０におけるメモリ２７２とが、送信機システム・プロセッサ２３０および受信機システム・プロセッサ２７０のそれぞれによって使用されるプログラム・コードとデータのためのストレージを提供しうる。さらに、受信機システム２５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、「連続ヌルイング／等値化および干渉除去」受信機処理技術、および／または、「連続干渉除去」または「連続除去」受信機処理技術を含みうる。
【００４４】
ＬＴＥのリリース８（Ｒｅｌ−８）およびリリース９（Ｒｅｌ−９）では、ユーザ機器のための時間−周波数リソースが、物理ダウンリンク制御チャネル（ＰＤＣＣＨ）によってスケジュール（割り付け、または、割り当て）される。ＰＤＣＣＨは、物理ダウンリンク共有データ・チャネル（ＰＤＳＣＨ）での、サービス提供セルからユーザ機器へのダウンリンク・リソースと、物理アップリンク共有データ・チャネル（ＰＵＳＣＨ）での、ユーザ機器からサービス提供セルへのアップリンク・リソースと、をスケジュールするために使用される。これらリソース割当は、ダウンリンク・リソース割当とアップリンク・リソース割当とで異なる、異なるダウンリンク制御情報（ＤＣＩ）フォーマットによって制御される。ＬＴＥ  Ｒｅｌ−８およびＲｅｌ−９では、３つのタイプのダウンリンク・リソース割当、すなわち、タイプ０、タイプ１、およびタイプ２が存在する。タイプ０およびタイプ１は、リソース・ブロック・グループをアドレスする（タイプ０）、または、リソース・ブロック・グループのサブセットにおける個々のリソース・ブロックをアドレスする、ビットマップ・ベースの割り当てである（リソース・ブロックは、時間領域では６または７つの直交周波数分割多重（ＯＦＤＭ）シンボル持続時間を持ち、周波数領域では周波数において隣接した１２のＯＦＤＭサブキャリアを持ち、ＬＴＥにおいて使用される基本的な時間周波数リソース要素である）。タイプ２リソース割当は、所与の数の割り当てられたリソース・ブロックのために、最も少ない数の割当ビットを必要とする実質的に隣接した割当である。
【００４５】
アップリンクでは、（割当は、送信サブフレーム内のリソース・ブロック間で、あるいは、２つの異なるサブフレーム（ここで、サブフレームは、２つの連続したリソース・ブロック）間でホップしうるが、）ＬＴＥ  Ｒｅｌ−８およびＲｅｌ−９は、シングル・キャリア周波数分割多元接続と、物理的に隣接したタイプ２リソース割当を使用する。ＬＴＥ  Ｒｅｌ−１０（ＬＴＥアドバンスト）の場合、クラスタ化されたアップリンク割当が提案されている。ここでは、ユーザ機器は、リソース・ブロックの複数のクラスタを割り当てられ、各クラスタは、物理的に隣接しているが、複数のクラスタが隣接していない場合もある。
【００４６】
上述したように、協調マルチポイント送信（ＣｏＭＰ）もまたＬＴＥ−Ａのために提案されている。一般に、ユーザ機器（以降、「ＵＥ」と称する）へのＣｏＭＰダウンリンク送信に含まれるセルはすべて、ダウンリンクで同じリソース（ＰＤＳＣＨ）を用いる。同様に、アップリンクＣｏＭＰ受信の場合、含まれるすべてのセルが、ＰＵＳＣＨで同じリソースを受信することを試みうる。この状況は、ダウンリンクについて図３Ａに、アップリンクについて図３Ｂに例示されている。図３Ａでは、ＵＥは、関与するセルであるセルｋとセルｊとの両方から、同じＰＤＳＣＨリソースを受信する（非隣接のリソース割当が示されている）。図３Ｂでは、ＵＥは、同じＰＵＳＣＨリソースを、関与する両方のセルへ送信する（ここでは、リソース割当が隣接している）。
【００４７】
しかしながら、例えばヘテロジニアスなネットワークのようなシナリオでは、所与のＵＥのための送信に含まれるセルは、異なるリソース管理スキームまたは制約を有しうる。例えば、図３Ａにおけるセルｋが、制約無しで非隣接割当３０１，３０２を使用することができうる一方、セルｊは、制限された能力または異なる優先度を有し、ＵＥへの送信を、リソース割当３１０のみへと制限する必要がありうる。このような制限または制約は、例えば、セルｊが、ＵＥへ割当３０１を送信することを試みる場合、この可能性のある干渉セルｊが、他のセルへの干渉を引き起こすであろうことに依りうる。もしもＵＥが、セルｋとセルｊとの両方から同じＤＬリソースを受信するように制限されている場合、最小の共通構成要素であるリソース割当３０２の受信に制限されるだろう。これは、リソース利用効率の損失をもたらす。
【００４８】
本開示の１つの態様では、所与のＵＥへのダウンリンクＣｏＭＰ送信に含まれるセルについて、各セルによって使用されるＰＤＳＣＨリソースは必ずしも同じである必要はない場合、リソース割当モードが設定されうる。別の態様では、所与のＵＥからのアップリンクＣｏＭＰ受信に含まれるセルについて、ＵＥから、関与する各ＣｏＭＰセルへ送信されたＰＵＳＣＨリソースは必ずしも同じである必要はない場合、リソース割当モードが設定されうる。リソース割当は、上述したようなリソース割当タイプ（すなわち、タイプ０，１，２）のすべてに適用可能でありうる。
【００４９】
以下の説明を明確にするために、以下の用語が以下の用語が定義される。ここで使用されるように、サービス提供セルという用語は、ＵＥにアップリンク割当およびダウンリンク割当を提供する単一のセルを称する。
【００５０】
ここで使用されるように、送信ポイント（ポイント）は、ＣｏＭＰシナリオにおいて、ＵＥへの送信、または、ＵＥへの受信を行うことが可能な任意のエンティティ（セル、アクセス・ポイント、ｅノードＢ等を含む）である。
【００５１】
ここで使用されるように、ＣｏＭＰ協力セットという用語は、ＣｏＭＰシナリオにおけるＵＥに関する送信／受信が可能なポイントのセットを称し、サービス提供セルを含む。このセットは、ＵＥに対して透過的であることも、透過的でないこともありうる。
【００５２】
ここで使用されるように、ＣｏＭＰ送信ポイント（単数または複数）という用語は、ＵＥへ送信しているポイントまたはポイントのセットを称する。ＣｏＭＰ送信ポイントのセットは、ＣｏＭＰ協力セットのサブセットである。
【００５３】
ここで使用されるように、統合処理という用語は、ＵＥへデータを送信するためや、ＵＥからデータを受信するための、ＣｏＭＰ協力セットにおける各送信ポイントの機能を称する。
【００５４】
ここで使用されるように、統合送信という用語は、所与の時間における、ＣｏＭＰ協力セット内の複数のポイントからのＰＤＳＣＨ送信を称する。
【００５５】
ここで使用されるように、動的セル選択という用語は、特定の時間において、ＣｏＭＰ協力セット内の１または複数のポイントからのＰＤＳＣＨ送信を称する。送信元のセル（単数または複数）は、サブフレーム毎に動的に変化しうる。
【００５６】
ここで使用されるように、協調スケジューリング／ビームフォーミング（ＣＳ／ＣＢ）という用語は、サービス提供セルからのデータ送信を称し、ＣｏＭＰ協力セット内のセルと協調してどのユーザ・スケジューリング決定およびビームフォーミング決定がなされたのかに関連している。
【００５７】
ここで使用されるように、ＣｏＭＰ測定セットという用語は、ＵＥとのリンクに関するチャネル状態情報レポートをサービス提供セルへ提供しうるセルのセットを称する。ＣｏＭＰ協力セットは、サービス提供セル（または、以下に詳述するようなバックホール統合送信プロセッサ）によるダウン選択に基づいて、ＣｏＭＰ測定セットまたはそのサブセットと同一の外延を持ちうる。
【００５８】
いくつかの態様では、ＣｏＭＰシナリオにおけるＵＥのためのリソース割当は、単一のポイントであるサービス提供セルからＰＤＣＣＨで送信されうる。ＰＤＳＣＨにおけるデータは、所与の時間において、サービス提供セルを含むことも含まないこともありうる１または複数のセルから送信されうる（動的セル選択）。同様に、ＵＥからのＰＵＳＣＨにおけるデータは、単一のセルまたは複数のセルにおいて受信されうる。
【００５９】
図４は、１つの実施形態におけるシステム４００を例示しており、ここでＵＥ１は、開示された実施形態にしたがうＣｏＭＰ送信に関与するユーザ機器である。図４では、（統合送信プロセッサとしても知られている）バックホール・プロセッサ４０１が、リンク４１０，４１１，４１２，４１３，４１４を介して、セル（ポイント）ｈ，ｉ，ｊ，ｋ，ｍにそれぞれリンクされており、この間のバックホール通信タスクを提供する。
【００６０】
以下の説明の目的のために、ポイントｊが、上記で定義されたようなサービス提供セルであるとする。ポイントｊ，ｋ，ｍは、境界４１５内の協力セルのセットを備える。ポイントｊ，ｋは、ＵＥ１へ（から）の統合送信または動的セル選択送信に関与する送信ポイントである。（例えば、ＵＥ１へのリンクの潜在的な品質に基づいて）協力セルのセットのメンバであるポイントｍは、統合送信または動的セル選択に関与していない。例えば、ポイントｍは、制限された能力しか持たないか、または、例えばポイントｋのような別のポイント、または、例えばＵＥ３のような別のＵＥへの干渉を引き起こすことなく、ＵＥ１へ割り当てることができないリソースをＵＥ２に割り当てる必要がありうる。
【００６１】
ポイントｈ，ｉは、ポイントｊ，ｋ，ｍとともに、境界４１６内のＵＥ１に関する測定セットを形成すると仮定される。測定セットは、ＵＥ１からチャネル状態インジケーション（ＣＳＩ）を受信し、ＣＳＩを、サービス提供セルであるポイントｊ（あるいは、ポイントｊのためのプロキシとしてのバックホール・プロセッサ４０１）へレポートする、全てのポイントからなるセットである。図４に例示されるように、ポイントｋは、ＵＥ１に関するＣｏＭＰ送信に関与しており、例えばＵＥ３のような別のＵＥとも通信しうる。簡略のために、図４では、制限された数のポイントおよびＵＥしか例示されていないが、開示された実施形態はそれに限定されないことが認識されるだろう。
【００６２】
図５は、１つの実施形態を例示しており、ここでは、セルｊ，ｋが、ＵＥ１への統合送信に関与する協力セルのセットのサブセットを構成する。図５では、セルｊがサービス提供セルであり、セルｊがＵＥ１にリソース割当を送信し、ＵＥ１に割り当てられたＰＤＳＣＨリソースが、リソース３０１，３０２を占有すべきであることを示すことが仮定される。しかしながら、この送信に関与するセルのすべてからのすべてのリソースが利用可能である訳ではない（例えば、セルｊは、リソース３０１を別のＵＥへ割り当てる必要がありうるか、または、潜在的な干渉問題によって、リソース３０１を送信しないことがありうる）。
【００６３】
このようなリソース割当は、ＵＥに透過的である一方、この情報はＵＥに対しても同様に利用可能とされうることに注目されたい。これは、リソース管理スキームが比較的変化しない場合に可能である。例えば、セルｊは、サービス提供セルとして、（例えば、リソース・サブ帯域３０１のような）リソース・サブ帯域のうちのいくつかにおいて、（例えば、電力制御または完全な送信プランキングかの何れかによって）ＰＤＳＣＨ送信を半固定的に制限する場合、このような制限をＵＥ１に対して通知しうる。これは、ＰＤＳＣＨ復調の品質を改善しうる。従来、ＵＥは、割り当てられたリソースに関するチャネル推定を実行するために、セル特有の、または、ＵＥ特有の復調基準シンボル（ＤＭ−ＲＳ）を検出する。特定のリソースが、特定のセルによって割り当てられないことをＵＥが認識した場合、ＵＥは、通常はリソースに関連付けられることになるであろう基準シンボルを求める探索を行わないことによって、処理電力を節約しうる。例えば、図５におけるＵＥ１が、セルｊがリソース・サブ帯域３０１でＵＥ１にリソースを送信しないことを通知されると、ＵＥ１は、リソース・サブ帯域３０１において、セルｊからの基準シンボルを復調する必要はないであろう。
【００６４】
アップリンクＣｏＭＰ受信の場合、協力セルのセット内のセルによって、どのリソースが受信および処理されるかに関して、同様の選択がなされうる。すなわち、ＰＵＳＣＨでＵＥによって送信されたリソースのすべてを復号するために、協力セルのセットにおけるセルのすべてが選択される訳ではない。協力セルのセットのメンバによってレポートされた潜在的な干渉と、例えば、他のＵＥにサービス提供する必要性に基づくスケジューリング制約とに依存して、協力セルのセット内の各セルは、サービス提供セルによってＵＥへ割り当てられた全ＰＵＳＣＨリソースのうちの一部のみを復号することを試みうる。
【００６５】
１つの実施形態では、協力セルのセット内のセルのうちのすべてまたはいくつかからの復号出力は、割り当てられたＰＵＳＣＨリソースの軟復号を実行するために使用されうる一方、ＵＥによって送信された各クラスタは、ＣｏＭＰ受信に関与する各セルがＰＵＳＣＨリソースを正しく復号したかを判定できるように、（例えば、ＣＲＣのような）誤り検出符号を含みうる。ＵＥは、（例えば、レイヤ２またはレイヤ３のような）より高次のレイヤ・シグナリングによって、ＣＲＣを用いて各ＰＵＳＣＨリソースを復号するように構成されうる。
【００６６】
１つの実施形態では、ＵＥは、（例えば、より高次のレイヤ・シグナリングまたはハードコードされた制限による）システム帯域幅区分制約を通知されうる。各帯域幅区分について、ＵＥは、ＰＵＳＣＨ送信のために、１または複数のクラスタを用いてスケジュールされうる。ＵＥは、各帯域幅区分に、例えばＣＲＣのような誤り検出符号を追加しうる。協力セルのセットにおける異なるセルは、異なる帯域幅制約を持つアップリンクＣｏＭＰ送信に関与し、異なるＣＲＣに対応する異なるクラスタを復号しうる。
【００６７】
１つの実施形態では、ＣｏＭＰ受信に関与する協力セルは、ＣＲＣ復号動作および検証動作の結果を、バックホール・プロセッサを介したサービス提供セルへのＡＣＫ／ＮＡＣＫ送信によって、サービス提供セルへレポートしうる。そして、サービス提供セルは、協力セルからのＡＣＫ／ＮＡＣＫ送信を、既存の物理ハイブリッドＡＲＱインジケータ・チャネル（ＰＨＩＣＨ）で送信された統合ＡＣＫ／ＮＡＣＫ（例えば、単一ビット）へバンドルする。ＵＥは、オリジナルの送信のために使用されたものと同じまたは異なる協力セルを用いて、ＰＨＩＣＨの内容に用いて、再送信しうる。
【００６８】
図６は、１つの提供された実施形態にしたがうユーザ機器における方法を例示するフローチャート６００である。説明を単純にする目的のために、この方法は、一連の動作として図示および説明される。この方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、この方法はこの代わりに、例えば状態図におけるように、一連の相互関連する状態またはイベントとして表されうることを理解し認識するだろう。さらに、開示された実施形態のうちの１または複数にしたがってこの方法を実現するために、必ずしも例示された全ての動作が必要とされる訳ではない。
【００６９】
図６では、方法６００は、動作６０２において始まり、ユーザ機器において、アグリゲート・ダウンリンク・リソース割当が受信される。ここで、アグリゲート・ダウンリンク・リソース割当は、ユーザ機器のためにスケジュールされた複数のリソース（例えば、ＰＤＳＣＨリソースのサブ帯域）を備える。この方法は、動作６０４に続き、アグリゲート・ダウンリンク・リソース割当に基づいて、協力セルのセットにおける複数のセルから送信を受信する。これは、スケジュールされた複数のリソース未満で、第１のセルから、送信の一部を受信することを備える。
【００７０】
前述したように、ＵＥは、協力セル内のどのセル（単数または複数）が、アグリゲート・リソース割当の一部を形成するリソースで送信するかを示すインジケーションを受信しうる。あるいは、セルを送信するとの選択は、ＵＥに対して透過でありうる。
【００７１】
図７は、１つの提供される実施形態にしたがうサービス提供セルにおける方法を例示するフローチャート７００である。図７では、この方法は、動作７０２において始まり、スケジュールされた複数のリソースを備える、ユーザ機器のためのアグリゲート・ダウンリンク・リソース割当が決定される。例えば、アグリゲート・リソース割当は、サービス提供セルがＵＥのためのデータ送信をスケジュールした複数のＰＤＳＣＨリソースを含みうる。方法７００は、動作７０４に続き、アグリゲート・ダウンリンク・リソース割当に基づいて、協力セルのセットにおける複数のセルによるＵＥへの送信が調整される。ここでは、協力セルのセットにおける少なくとも１つのセルは、スケジュールされた複数のリソース未満で送信する。
【００７２】
送信の調整は、アグリゲート・リソース割当におけるどのリソースがＵＥへのデータ送信のために利用されるべきであるかに関して、サービス提供セルが各送信ポイントに通知する集中方式で実行されうる。あるいは、送信の調整は、各送信ポイントに対して、アグリゲート・リソース割当のうちのいくつかまたはすべてに関する通知がなされる場合には分散化され、各送信ポイントは、割り当てられたリソースのうちの少なくとも一部でＵＥへ送信する。各場合では、協力セルが送信するアグリゲート・リソース割当の一部は、対応する能力および制約に基づきうる。
【００７３】
図８は、１つの実施形態における協力セルにおける方法８００を例示する。図８では、方法８００は、動作８０２において始まり、協力セルのセットからユーザ機器への送信のためにスケジュールされた複数のリソースを備えるアグリゲート・ダウンリンク・リソース割当の通知が受信される。方法８００は、動作８０４に続き、ユーザ機器への送信のためにスケジュールされたリソースの一部が選択される。スケジュールされたリソースの一部を選択することは、例えば、協力セルの動作の特定の能力および／または制約あるいはチャネル状態情報に基づきうる。方法８００は、スケジュールされたリソースの選択された部分で、ユーザ機器に送信する動作８０６で終了する。
【００７４】
図９は、１つの実施形態におけるユーザ機器における方法９００を例示する。図９では、方法９００は、動作９０２において始まり、ユーザ機器による使用のために割り当てられた複数のリソースを備えるアグリゲート・アップリンク・リソース許可が受信される。アグリゲート・リソース許可は、例えば、ユーザ機器が送信しうる複数のＰＵＳＣＨリソースを備える、サービス提供セルからのアップリンク許可を含みうる。方法９００は、動作９０４に続き、複数のリソースにおいて送信がなされる。ここでは、複数の協力セルのうちの少なくとも１つのセルが、複数の全リソース未満の受信のためにスケジュールされる。ＵＥは、例えば、ＣｏＭＰセット内の特定のセルへのアップリンク送信のうちの選択された部分を符号化するために、セル特有の情報を用いることによって、または、この送信の部分を、特定のセル識別子に関連付けることによって、このアップリンク送信の部分を指示しうる。あるいは、ＵＬ送信の部分は、ＵＥに対して透過的であるという方式で、ＣｏＭＰセット内の特定のセルによって受信および復号されうる。
【００７５】
図１０は、サービス提供セルにおける方法を例示するフローチャート１０００である。図１０では、この方法１０００は、動作１００２で始まり、ＵＥによる送信のために割り当てられた複数のリソースを備えるアグリゲート・アップリンク・リソース許可が送信される。この方法は、動作１００４に続き、これら複数のリソース未満である、この送信に関連付けられたリソースが受信される。
【００７６】
図１１は、１つの実施形態における協力セルにおける方法を例示するフローチャート１１００である。図１１では、方法１１００は、動作１１０２において始まり、ユーザ機器による送信のためにスケジュールされた複数のリソースを備えるアグリゲート・アップリンク・リソース許可のユーザ機器への通知が、サービス提供セルから受信される。この方法は、動作１１０４に続き、例えば、ユーザ機器に関連するチャネル状態情報と、協力セルに関連付けられたその他のユーザ機器に関する情報とに基づいて、複数のリソース未満を含む送信の一部を受信することが選択される。この方法は、選択された送信の一部が、ユーザ機器から受信される、動作１１０６で終了する。
【００７７】
図１２は、本明細書に記載されたさまざまな動作、および、特に、図６−１０に示された方法をサポートすることが可能なＣｏＭＰ通信システム１２００を例示する。システム１２００は、情報、信号、データ、命令群、コマンド、ビット、シンボル等を送信および／または受信しうるトランシーバ・モジュール１２１２を有するサービス提供セル１２０２を含む。サービス提供セル１２０２は、物理ダウンリンク制御チャネル（ＰＤＣＣＨ）および物理ダウンリンク共有データ・チャネル（ＰＤＳＣＨ）を含むダウンリンク４０２を介してユーザ機器（ＵＥ）１２０１と通信しうる。サービス提供セル１２０２はまた、物理アップリンク共有データ・チャネル（ＰＵＳＣＨ）を含むアップリンク４０３を介してもＵＥ１２０１と通信しうる。サービス提供セル１２０２はまた、バックホール・リンク４１２を介してバックホール・プロセッサ４０１と通信しうる。サービス提供セル１２０２は、協力セル１２０３およびいくつかの場合にはバックホール・プロセッサ４０１と協調して、ＵＥ１２０１へのダウンリンク・リソースおよびアップリンク・リソースをスケジュールし、調整し、配信するためのスケジューリング／調整モジュール１２２２を含む。
【００７８】
協力セル１２０３は、情報、信号、データ、命令群、コマンド、ビット、シンボル等を送信および／または受信しうるトランシーバ・モジュール１２１３を含む。協力セル１２０３は、物理ダウンリンク共有データ・チャネル（ＰＤＳＣＨ）を含むダウンリンク４０４を介してＵＥ１２０１と通信しうる。協力セル１２０３はまた、ＰＵＳＣＨを含むアップリンク４０５を介してＵＥ１２０１と通信しうる。協力セル１２０２は、サービス提供セル１２０２からアグリゲート・リソース割当情報を受信して処理し、ダウンリンク４０４におけるＵＥ１２０１への送信のため、および、アップリンク４０５におけるＵＥ１２０２からの送信のためのリソースを選択するための、スケジューリング／調整モジュール１２２２を含む。協力セル１２０３はまた、サービス提供セル１２０２と協力セル１２０３との間のリソースのスケジューリング、調整、および分配をサポートするために、バックホール・リンク４１３を介してバックホール・プロセッサ４０１と通信しうる。
【００７９】
ＵＥ１２０１は、前述したように、サービス提供セル１２０２および協力セル１２０３と通信するためのトランシーバ・モジュール１２１１を含む。さらに、ＵＥ１２０２は、協力セル１２０３およびサービス提供セル１２０２へＣＳＩをレポートするチャネル状態情報（ＣＳＩ）レポート・モジュール１２２１を含む。これは、ＵＥ１２０１へ割り当てられる、協力セル１２０３とサービス提供セル１２０２との間のアグリゲート・リソースの分配を決定するために使用されうる。さらに、図示していないが、サービス提供セル１２０２に類似した任意の数のサービス提供セル、ＵＥ１２０１に類似した任意の数のＵＥ、および、協力セル１２０３に類似した任意の数の協力セルが、システム１２００に含まれうることが考慮される。
【００８０】
図１３は、開示されたさまざまな実施形態が実施される装置１３００を例示する。図１３内に示される装置１３００は、サービス提供セルまたは協力セルのうちの少なくとも一部、または、ユーザ機器（例えば、図４に示されるサービス提供セルｊ、協力セルｋ、およびユーザ機器ＵＥ１）のうちの少なくとも一部、送信機システムまたは受信機システム（例えば、図２に示される送信機システム２１０および受信機システム２５０）のうちの少なくとも一部を備えうる。図１３に図示される装置１３００は、無線ネットワーク内に存在することができ、到来するデータを、例えば、１または複数の受信機、および／または、適切な受信および復号回路（例えば、アンテナ、トランシーバ、復調器等）によって受信しうる。図１３に図示される装置１３００はまた、例えば、１または複数の送信機、および／または、適切な符号および送信回路（例えば、アンテナ、トランシーバ、変調器等）によって、発信されるデータを送信しうる。さらに、または、代わりに、図１３に図示される装置１３００は、有線ネットワーク内に存在しうる。
【００８１】
図１３はさらに、例えば、信号調整、分析等のような１または複数の動作を実行するための命令群を保持しうるメモリ１３０２を含みうる装置１３００を例示する。さらに、図１３の装置１３００は、メモリ１３０２に格納された命令群、および／または、別のデバイスから受信した命令群を実行しうるプロセッサ１３０４を含みうる。これら命令群は、装置１３００または関連する通信装置を設定または動作させることに関連しうる。図１３に示されるメモリ１３０２は、単一のブロックとして示されているが、個別の物理ユニットおよび／または論理ユニットを構成する複数の個別のメモリを備えうることが注目されるべきである。さらに、メモリは、プロセッサ１３０４に通信可能に接続されている間、図１３に図示される装置１３００の完全な外側に、または部分的に外側に存在しうる。例えば、図４に示されるサービス提供セルｊ、協力セルｋ、およびユーザ機器ＵＥ１のような１または複数の構成要素は、例えばメモリ１３０２のようなメモリ内に存在しうることもまた理解されるべきである。
【００８２】
開示された実施形態に関連して記載されたメモリは、揮発性メモリか不揮発性メモリの何れかであるか、揮発性メモリと不揮発性メモリとの両方を含みうることが認識されるだろう。限定するのではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。
【００８３】
図１３の装置１３００は、ユーザ機器またはモバイル・デバイスとして適用され、例えば、ＳＤカード、ネットワーク・カード、無線ネットワーク・カード、（ラップトップ、デスクトップ、情報携帯端末ＰＤＡを含む）コンピュータ、モバイル電話、スマート・フォン、または、ネットワークにアクセスするために利用されうるその他任意の適切な端末のようなモジュールでありうることが注目されるべきである。ユーザ機器は、アクセス構成要素（図示せず）を経由してネットワークにアクセスする。一例において、ユーザ機器とアクセス構成要素との間の接続は、本質的には無線である。ここでは、アクセス構成要素は基地局であり、ユーザ機器は無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、あるいはその他任意の適切なプロトコルを含む任意の適切な無線プロトコルによって通信しうる。
【００８４】
アクセス構成要素は、有線ネットワークあるいは無線ネットワークに関連付けられたアクセス・ノードでありうる。この目的のために、アクセス構成要素は、例えば、ルータ、スイッチ等でありうる。アクセス構成要素は、他のネットワーク・ノードと通信するために、例えば通信モジュールのような１または複数のインタフェースを含みうる。さらに、アクセス構成要素は、セルラ・タイプのネットワークにおける基地局（または無線アクセス・ポイント）でありうる。ここでは、基地局（または、無線アクセス・ポイント）は、複数のサブキャリアへ無線有効通信範囲を提供するために利用される。このような基地局（あるいは無線アクセス・ポイント）は、１または複数のセルラ電話および／またはその他の無線端末に、有効通信範囲の連続した領域を提供するように構成されうる。
【００８５】
本明細書に記載された実施形態および特徴は、ハードウェア、ソフトウェア、ファームウェア、あるいはこれらの任意の組み合わせによって実現されうることが理解されるべきである。本明細書に記載されたさまざまな実施形態は、方法または処理の一般的なコンテキストで説明される。これは、１つの実施形態では、ネットワーク環境においてコンピュータによって実行される、例えばプログラム・コードのようなコンピュータ実行可能な命令群を含む、コンピュータ読取可能な媒体に組み込まれたコンピュータ・プログラム製品によって実現されうる。前述したように、メモリおよび／またはコンピュータ読取可能な媒体は、リムーバブル記憶デバイスや、限定される訳ではないが、読取専用メモリ（ＲＯＭ）、ランダム・アクセス・メモリ（ＲＡＭ）、コンパクト・ディスク（ＣＤ）、デジタル多用途ディスク（ＤＶＤ）等を含む非リムーバブル記憶デバイスを含みうる。ソフトウェアで実現される場合、これら機能は、コンピュータ読取可能な媒体に格納されるか、１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。
【００８６】
さらに、いかなる接続も、コンピュータ読取可能な媒体と適切に称される。例えば、同軸ケーブル、光ファイバ・ケーブル、ツイスト・ペア、デジタル加入者線（ＤＳＬ）を使用して、ウェブサイト、サーバ、あるいは他の遠隔ソースからソフトウェアが送信される場合、同軸ケーブル、光ファイバ・ケーブル、ツイスト・ペア、またはＤＳＬは、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００８７】
一般に、プログラム・モジュールは、特定のタスクを実行したり、または、特定の理想的なデータ・タイプを適用する、ルーチン、プログラム、オブジェクト、構成要素、データ構造等を含みうる。コンピュータ実行可能な命令群、関連付けられたデータ構造、および、プログラム・モジュールは、本明細書で開示された方法のステップを実行するためのプログラム・コードの例を示す。実行可能なこのような命令群または関連付けられたデータ構造からなる特定のシーケンスは、このようなステップまたは処理において記載された機能を実施するための対応する動作の例を示す。
【００８８】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、上述したステップおよび／または動作のうちの１または複数を実行するように動作可能な１または複数のモジュールを備えうる。
【００８９】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部および／またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【００９０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ｃｄｍａ２０００およびＵＭＢは、「第３世代パートナシップ計画２」（３ＧＰＰ２）と命名された組織からの文書に記載されている。さらに、このような無線通信システムは、しばしばアンペア（ｕｎｐａｉｒｅｄ）な無許可のスペクトルを用いるピア・トゥ・ピア（例えば、ユーザ機器・トゥ・ユーザ機器）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００９１】
単一キャリア変調および周波数領域等値化を利用する単一キャリア周波数分割多元接続（ＳＣ−ＦＤＭＡ）は、開示された実施形態とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点から、低いＰＡＰＲがユーザ機器に利益をもたらすアップリンク通信において利用されうる。
【００９２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能な媒体を示すことができる。用語「機械読取可能な媒体」は、限定されることなく、命令群および／またはデータを格納、包含、および／または搬送することができる媒体を含みうる。それに加えて、コンピュータ・プログラム製品は、本明細書に記載された機能をコンピュータに対して実行させるように動作可能な１または複数の命令群あるいはコードを有するコンピュータ読取可能な媒体を含みうる。
【００９３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの実施形態では、プロセッサと記憶媒体が、ＡＳＩＣ内に存在しうる。それに加えて、ＡＳＩＣは、ユーザ機器（例えば、図１２における１２０１）内に存在しうる。あるいは、プロセッサおよび記憶媒体は、ユーザ機器（例えば、図１２の１２０１）内のディスクリートな構成要素として存在しうる。さらに、いくつかの実施形態によれば、アルゴリズムまたは方法のステップおよび／または動作は、コンピュータ・プログラム製品に組み込まれうる機械読取可能な媒体および／またはコンピュータ読取可能な媒体上のコードおよび／または命令群の１つ、任意の組み合わせ、またはセットとして存在しうる。
【００９４】
前述した開示は、例示的な実施形態を開示しているが、さまざまな変更および修正が、特許請求の範囲で定義されたような説明された実施形態の範囲から逸脱することなくなされうることが注目されるべきである。したがって、記載された実施形態は、特許請求の範囲のスコープ内にあるこのようなすべての変形、修正、および変更を含むことが意図される。さらに、説明された実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の実施形態のすべてまたは一部とともに利用されうる。
【００９５】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
以下に本願発明の当初の特許請求の範囲に記載された発明を付記する。
［Ｃ１］
ユーザ機器における方法であって、
前記ユーザ機器のためにスケジュールされた複数のリソースを備えるアグリゲート・ダウンリンク・リソース割当を受信することと、
協調セルのセットにおける複数のセルからの送信を、前記アグリゲート・ダウンリンク・リソース割当に基づいて受信することとを備え、
この受信することは、前記スケジュールされた複数のリソース未満で、前記送信の一部を、前記協調セルのセットにおける第１のセルから受信することを備える、方法。
［Ｃ２］
前記送信のうちの少なくとも別の一部を、第２のセルから受信することをさらに備え、
前記第１のセルから受信された送信の一部と、前記第２のセルから受信された送信のうちの別の一部とは、前記スケジュールされた複数のリソースにおける送信を備える、Ｃ１に記載の方法。
［Ｃ３］
前記送信は、指定された送信インタバルの間、協調セルのセット内の複数のセルからの統合送信を備える、Ｃ１に記載の方法。
［Ｃ４］
前記第１のセルが、前記アグリゲート・ダウンリンク・リソース割当を備える前記スケジュールされた複数のリソース未満で送信する、との通知を受信すること、をさらに備えるＣ１に記載の方法。
［Ｃ５］
前記ＵＥは、前記通知に基づいて、ダウンリンク・リソースを復号する、Ｃ３に記載の方法。
［Ｃ６］
前記送信は、動的なセル選択を備え、
前記ユーザ機器は、指定された送信インタバルの間、前記協調セルのセット内の１つのセルのみからデータを受信する、Ｃ１に記載の方法。
［Ｃ７］
前記送信は、指定された送信インタバルの間、協調スケジューリングまたは協調ビームフォーミングを備え、
前記方法はさらに、前記複数のセルのうちのサービス提供セルへ、チャネル状態情報を送信することを備えるＣ１に記載の方法。
［Ｃ８］
前記協調セルのセットは、協調マルチポイント測定セットのサブセットを備え、
前記協調マルチポイント測定セットは、前記ＵＥが前記サービス提供セルへチャネル状態情報をレポートすることに関するセルのセットを備える、Ｃ３に記載の方法。
［Ｃ９］
前記送信は、前記協調セルのセットのサブセットからの送信を備える、Ｃ８に記載の方法。
［Ｃ１０］
前記アグリゲート・ダウンリンク・リソース割当の、前記スケジュールされた複数のリソースは、非隣接のリソース・クラスタを備える、Ｃ１に記載の方法。
［Ｃ１１］
サービス提供セルにおける方法であって、
スケジュールされた複数のリソースを備える、ユーザ機器（ＵＥ）のためのアグリゲート・ダウンリンク・リソース割当を決定することと、
協調セルのセットにおける複数のセルによる前記ＵＥへの送信を、前記アグリゲート・ダウンリンク・リソース割当に基づいて調整することと、ここで、前記協調セルのセットにおける少なくとも１つのセルが、前記スケジュールされた複数のリソース未満で送信する、を備える方法。
［Ｃ１２］
前記協調セルのセットにおける１つのセルが、前記サービス提供セルによって送信されたリソースに基づいて送信する、Ｃ１１に記載の方法。
［Ｃ１３］
前記送信は、指定された送信インタバルの間、前記協調セルのセット内の１または複数のセルおよび前記サービス提供セルからの統合送信を備える、Ｃ１１に記載の方法。
［Ｃ１４］
前記少なくとも１つのセルが前記スケジュールされた複数のリソース未満で送信する、という通知を前記ＵＥへ送信すること、をさらに備えるＣ１１に記載の方法。
［Ｃ１５］
前記送信は、動的なセル選択を備え、
前記サービス提供セルのみが、指定された送信インタバルの間に送信する、Ｃ１１に記載の方法。
［Ｃ１６］
前記送信は、協調スケジューリングまたは協調ビームフォーミングを備え、
前記方法は、
前記サービス提供セルにおいて、複数のチャネル状態情報レポートを受信することと、
指定された送信インタバルの間に、前記チャネル状態情報レポートに基づいて、前記サービス提供セルから送信することと、を備えるＣ１１に記載の方法。
［Ｃ１７］
前記協調セルのセットにおける複数のセルを、前記サービス提供セルにおいて、協調マルチポイント測定セットのサブセットとして選択することをさらに備え、
前記協調マルチポイント測定セットは、前記ＵＥが前記サービス提供セルへチャネル状態情報をレポートするためのセルのセットを備える、Ｃ１１に記載の方法。
［Ｃ１８］
前記サービス提供セルは、前記協調セルのセットのサブセットを備える送信セットを選択する、Ｃ１１に記載の方法。
［Ｃ１９］
協調セルにおける方法であって、
スケジュールされた複数のリソースを備えるアグリゲート・ダウンリンク・リソース割当の通知を受信することと、
ユーザ機器への送信のために、前記スケジュールされたリソースの一部を選択することと、
前記選択された、スケジュールされたリソースの一部において、前記ユーザ機器へ送信することと、を備える方法。
［Ｃ２０］
前記送信は、指定された送信インタバルの間、前記協調セルと、前記協調セルのセットにおける少なくとも１つの別のセルとからの統合送信を備える、Ｃ１９に記載の方法。
［Ｃ２１］
前記送信は、動的なセル選択を備え、
前記協調セルのみが、指定された送信インタバルの間に送信する、Ｃ１９に記載の方法。
［Ｃ２２］
前記送信は、協調スケジューリングまたは協調ビームフォーミングを備え、
前記協調セルは、指定された送信インタバルの間にリソースを送信しない、Ｃ１９に記載の方法。
［Ｃ２３］
協調セルのセットは、ユーザ機器に関連するサービス提供セルへチャネル状態情報がレポートされるセルのセットを備える、協調マルチポイント測定セットのサブセットを備える、Ｃ１９に記載の方法。
［Ｃ２４］
前記協調セルは、前記協調セルのセットのサブセットを備える送信セットのメンバである、Ｃ２３に記載の方法。
［Ｃ２５］
ユーザ機器における方法であって、
前記ユーザ機器からの送信のためにスケジュールされた複数のリソースを備えるアグリゲート・アップリンク・リソース許可を受信することと、
前記複数のリソースで送信することと、ここで、協調セルのセットにおける少なくとも１つのセルが、前記送信に関連付けられた複数のリソースのよりも少ないリソースの受信のためにスケジュールされる、を備える方法。
［Ｃ２６］
前記送信は、指定された送信インタバルの間、前記協調セルのセット内の複数のセルへの統合送信を備える、Ｃ２５に記載の方法。
［Ｃ２７］
前記送信は、動的なセル選択を備え、
前記ユーザ機器は、指定された送信インタバルの間、前記協調セルのセット内の１つのセルのみへリソースを送信する、Ｃ２５に記載の方法。
［Ｃ２８］
前記送信は、協調スケジューリングまたは協調ビームフォーミングを備え、
前記ユーザ機器は、前記協調セルのセット内の少なくとも１つのセルに関連するチャネル状態情報を送信する、Ｃ２５に記載の方法。
［Ｃ２９］
前記ユーザ機器は、前記協調セルのセットのためのチャネル状態情報を送信し、
前記協調セルのセットは、前記ＵＥによって保持された協調マルチポイント測定セットのサブセットを備える、Ｃ２５に記載の方法。
［Ｃ３０］
前記送信は、前記協調セルのセットのサブセットへの送信を備える、Ｃ２９に記載の方法。
［Ｃ３１］
セル特有の符号を用いて、アグリゲートされたリソースのリソース・クラスタを符号化すること、をさらに備えるＣ２５に記載の方法。
［Ｃ３２］
前記協調セルのセットは、前記ユーザ機器に知られている、Ｃ２５に記載の方法。
［Ｃ３３］
前記協調セルのセットは、前記ユーザ機器に知られていない、Ｃ２５に記載の方法。
［Ｃ３４］
サービス提供セルにおける方法であって、
ユーザ機器（ＵＥ）による送信のためにスケジュールされた複数のリソースを備えるアグリゲート・アップリンク・リソース許可を前記ＵＥへ送信することと、
前記アグリゲート・アップリンク・リソース許可の複数のリソース未満を含む、前記送信に関連付けられたリソースを、前記サービス提供セルにおいて受信することと、を備える方法。
［Ｃ３５］
前記送信は、指定された送信インタバルの間、前記サービス提供セルと、協調セルのセットにおける少なくとも１つの別のセルとへの統合送信を備える、Ｃ３４に記載の方法。
［Ｃ３６］
前記送信は、動的なセル選択を備え、
前記サービス提供セルのみが、指定された送信インタバルの間に、前記リソースを受信する、Ｃ３４に記載の方法。
［Ｃ３７］
前記送信は、指定された送信インタバルの間に、協調スケジューリングまたは協調ビームフォーミングを備える、Ｃ３４に記載の方法。
［Ｃ３８］
前記サービス提供セルは、協調セルのセットのためのチャネル状態情報レポートを受信し、
前記協調セルのセットは、セルの協調マルチポイント測定セットのサブセットを備える、Ｃ３４に記載の方法。
［Ｃ３９］
独立した誤り検出符号を用いて、前記複数のリソースのリソース・クラスタを符号化するようにユーザ機器に対してシグナリングすることと、
協調セルのセットのうちの１または複数からＡＣＫ／ＮＡＣＫインジケータを受信することと、
前記ＡＣＫ／ＮＡＣＫインジケータに基づいて、バンドルされたＡＣＫ／ＮＡＣＫインジケータを前記ユーザ機器へ送信することと、をさらに備えるＣ３４に記載の方法。
［Ｃ４０］
協調セルにおける方法であって、
ユーザ機器による送信のためにスケジュールされた複数のリソースを備えるアグリゲート・アップリンク・リソース許可、前記ユーザ機器への通知を受信することと、
前記複数のリソース未満を備える、前記送信の一部を受信することを選択することと、
前記選択された送信の一部を受信することと、を備える方法。
［Ｃ４１］
前記送信は、指定された送信インタバルの間、前記協調セルと、前記協調セルのセットにおける少なくとも１つの別のセルとへの統合送信を備える、Ｃ４０に記載の方法。
［Ｃ４２］
前記送信は、動的なセル選択を備え、
前記協調セルのみが、指定された送信インタバルの間に、前記送信に関連付けられたリソースを受信する、Ｃ４０に記載の方法。
［Ｃ４３］
前記送信は、協調スケジューリングまたは協調ビームフォーミングを備え、
前記協調セルは、指定された送信インタバルの間、チャネル状態情報をサービス提供セルへレポートし、ユーザ機器からリソースを受信しない、Ｃ４０に記載の方法。
［Ｃ４４］
前記協調セルは、セルの協調マルチポイント測定セットに属し、
前記方法はさらに、ユーザ機器に関連するチャネル状態情報を受信する、Ｃ４０に記載の方法。
［Ｃ４５］
前記選択されたリソースのリソース・クラスタから独立した誤り訂正符号を復号することと、
前記誤り訂正符号を検証することと、
復号状態をサービス提供セルへ送信することと、をさらに備えるＣ４０に記載の方法。
［Ｃ４６］
ユーザ機器（ＵＥ）であって、
プロセッサと、
前記プロセッサによって実行された場合に、
前記ユーザ機器のためにスケジュールされた複数のリソースを備えるアグリゲート・ダウンリンク・リソース割当を受信し、
協調セルのセットにおける複数のセルからの送信を、前記アグリゲート・ダウンリンク・リソース割当に基づいて受信し、ここで、前記送信の一部は、前記スケジュールされた複数のリソース未満で、前記協調セルにおける少なくとも１つのセルから受信される、
ように前記ユーザ機器を設定する、プロセッサ実行可能な命令群を備えるメモリと、を備えるユーザ機器。
［Ｃ４７］
サービス提供セルであって、
プロセッサと、
前記プロセッサによって実行された場合に、
スケジュールされた複数のリソースを備える、ユーザ機器（ＵＥ）のためのアグリゲート・ダウンリンク・リソース割当を決定し、
協調セルのセットにおける複数のセルによる前記ＵＥへの送信を、前記アグリゲート・ダウンリンク・リソース割当に基づいて調整し、ここで、前記協調セルのセットにおける少なくとも１つのセルは、前記スケジュールされた複数のリソース未満で送信する、
ように前記サービス提供セルを設定する、プロセッサ実行可能な命令群を備えるメモリと、を備えるサービス提供セル。
［Ｃ４８］
協調セルであって、
プロセッサと、
前記プロセッサによって実行された場合に、
スケジュールされた複数のリソースを備えるアグリゲート・ダウンリンク・リソース割当の通知を受信し、
チャネル状態情報に基づいて、ユーザ機器への送信のために、前記スケジュールされたリソースの一部を選択し、
前記選択された、スケジュールされたリソースの一部で、前記ユーザ機器へ送信する、
ように前記協調セルを設定する、プロセッサ実行可能な命令群を備えるメモリと、を備える協調セル。
［Ｃ４９］
ユーザ機器であって、
プロセッサと、
前記プロセッサによって実行された場合に、
前記ユーザ機器からの送信のためにスケジュールされた複数のリソースを備えるアグリゲート・アップリンク・リソース許可を受信し、
前記複数のリソースで送信し、ここで、前記送信に関連付けられた複数のリソースよりも少ないリソースの受信のために、協調セルのセットにおける少なくとも１つのセルがスケジュールされる、
ように前記ユーザ機器を設定する、プロセッサ実行可能な命令群を備えるメモリと、を備えるユーザ機器。
［Ｃ５０］
サービス提供セルであって、
プロセッサと、
前記プロセッサによって実行された場合に、
ユーザ機器による送信のためにスケジュールされた複数のリソースを備えるアグリゲート・アップリンク・リソース許可を前記ユーザ機器へ送信し、
前記送信に関連付けられたリソースを、前記サービス提供セルにおいて受信し、ここで、前記リソースは、前記アグリゲート・アップリンク・リソース許可の複数のリソース未満を含む、
ように前記サービス提供セルを設定する、プロセッサ実行可能な命令群を備えるメモリと、を備えるサービス提供セル。
［Ｃ５１］
協調セルであって、
プロセッサと、
前記プロセッサによって実行された場合に、
ユーザ機器による送信のためにスケジュールされた複数のリソースを備えるアグリゲート・アップリンク・リソース許可の前記ユーザ機器への通知を受信し、
前記複数のリソース未満を備える前記送信の一部を受信することを選択し、
前記選択された送信の一部を受信する、
ように前記協調セルを設定する、プロセッサ実行可能な命令群を備えるメモリと、を備える協調セル。
［Ｃ５２］
マシンによって実行された場合に、
ユーザ機器のためにスケジュールされた複数のリソースを備えるアグリゲート・ダウンリンク・リソース割当を受信し、
協調セルのセットにおける複数のセルからの送信を、前記アグリゲート・ダウンリンク・リソース割当に基づいて受信し、ここで、前記送信は、前記スケジュールされた複数のリソース未満で、前記協調セルのセット内の少なくとも１つのセルから受信される、ように、前記マシンをユーザ機器として設定する命令群を有する非一時的なマシン読取可能な媒体を備える、製造物品。
［Ｃ５３］
マシンによって実行された場合に、
スケジュールされた複数のリソースを備える、ユーザ機器（ＵＥ）のためのアグリゲート・ダウンリンク・リソース割当を決定し、
協調セルのセットにおける複数のセルによる前記ＵＥへの送信を、前記アグリゲート・ダウンリンク・リソース割当に基づいて調整し、ここで、前記協調セルのセットにおける少なくとも１つのセルが、前記スケジュールされた複数のリソース未満で送信する、ように、前記マシンをサービス提供セルとして設定する命令群を有する非一時的なマシン読取可能な媒体を備える、製造物品。
［Ｃ５４］
マシンによって実行された場合に、
スケジュールされた複数のリソースを備えるアグリゲート・ダウンリンク・リソース割当の通知を受信し、
ユーザ機器への送信のために、前記スケジュールされたリソースの一部を選択し、
前記選択された、スケジュールされたリソースの一部で前記ユーザ機器へ送信するように、前記マシンを協調セルとして設定する命令群を有する非一時的なマシン読取可能な媒体を備える、製造物品。
［Ｃ５５］
マシンによって実行された場合に、
ユーザ機器からの送信のためにスケジュールされた複数のリソースを備えるアグリゲート・アップリンク・リソース許可を受信し、
前記複数のリソースで送信し、ここで、前記送信に関連付けられた複数のリソースよりも少ないリソースの受信のために、協調セルのセットうちの少なくとも１つのセルがスケジュールされる、ように、前記マシンをユーザ機器として設定する命令群を有する非一時的なマシン読取可能な媒体を備える、製造物品。
［Ｃ５６］
マシンによって実行された場合に、
ユーザ機器による送信のためにスケジュールされた複数のリソースを備えるアグリゲート・アップリンク・リソース許可を送信し、
前記送信に関連付けられたリソースを前記サービス提供セルにおいて受信し、ここで、前記リソースは、前記アグリゲート・アップリンク・リソース許可の複数のリソース未満を含む、ように、前記マシンをサービス提供セルとして設定する命令群を有する非一時的なマシン読取可能な媒体を備える、製造物品。
［Ｃ５７］
マシンによって実行された場合に、
ユーザ機器による送信のためにスケジュールされた複数のリソースを備えるアグリゲート・アップリンク・リソース許可の前記ユーザ機器への通知を受信し、
前記複数のリソース未満を備える、前記送信の一部を受信することを選択し、
前記選択された、送信の一部を受信するように、前記マシンを協調セルとして設定する命令群を有する非一時的なマシン読取可能な媒体を備える、製造物品。
［Ｃ５８］
ユーザ機器であって、
前記ユーザ機器のためにスケジュールされた複数のリソースを備えるアグリゲート・ダウンリンク・リソース割当を受信する手段と、
協調セルのセットにおける複数のセルからの送信を、前記アグリゲート・ダウンリンク・リソース割当に基づいて受信する手段と、ここで、前記送信の一部は、前記スケジュールされた複数のリソース未満で、前記協調セットにおける少なくとも１つのセルから受信される、を備えるユーザ機器。
［Ｃ５９］
サービス提供セルであって、
スケジュールされた複数のリソースを備える、ユーザ機器（ＵＥ）のためのアグリゲート・ダウンリンク・リソース割当を決定する手段と、
協調セルのセットにおける複数のセルによる前記ＵＥへの送信を、前記アグリゲート・ダウンリンク・リソース割当に基づいて調整する手段と、ここで、前記協調セルのセットにおける少なくとも１つのセルが、前記スケジュールされた複数のリソース未満で送信する、を備えるサービス提供セル。
［Ｃ６０］
協調セルであって、
スケジュールされた複数のリソースを備えるアグリゲート・ダウンリンク・リソース割当の通知を受信する手段と、
ユーザ機器への送信のために、前記スケジュールされたリソースの一部を選択する手段と、
前記選択された、スケジュールされたリソースの一部で、前記ユーザ機器へ送信する手段と、を備える協調セル。
［Ｃ６１］
ユーザ機器であって、
前記ユーザ機器からの送信のためにスケジュールされた複数のリソースを備えるアグリゲート・アップリンク・リソース許可を受信する手段と、
前記複数のリソースで送信する手段と、ここで、協調セルのセットのうちの少なくとも１つのセルが、前記送信に関連付けられた複数のリソースよりも少ないリソースの受信のためにスケジュールされる、を備えるユーザ機器。
［Ｃ６２］
サービス提供セルであって、
ユーザ機器による送信のためにスケジュールされた複数のリソースを備えるアグリゲート・アップリンク・リソース許可を、前記ユーザ機器へ送信する手段と、
前記サービス提供セルにおいて、前記送信に関連付けられたリソースを受信する手段と、ここで、前記リソースは、前記アグリゲート・アップリンク・リソース許可の複数のリソース未満を含む、を備えるサービス提供セル。
［Ｃ６３］
協調セルであって、
ユーザ機器による送信のためにスケジュールされた複数のリソースを備えるアグリゲート・アップリンク・リソース許可の前記ユーザ機器への通知を受信する手段と、
前記複数のリソース未満を備える、前記送信の一部を受信することを選択する手段と、
前記選択された、前記送信の一部を受信する手段と、を備える協調セル。
【図１】
0005529294.tif 000002
【図２】
0005529294.tif 000003
【図３Ａ】
0005529294.tif 000004
【図３Ｂ】
0005529294.tif 000005
【図４】
0005529294.tif 000006
【図５】
0005529294.tif 000007
【図６】
0005529294.tif 000008
【図７】
0005529294.tif 000009
【図８】
0005529294.tif 000010
【図９】
0005529294.tif 000011
【図１０】
0005529294.tif 000012
【図１１】
0005529294.tif 000013
【図１２】
0005529294.tif 000014
【図１３】
0005529294.tif 000015